(57)【要約】  情報又はエネルギーを伝達するためのコイルについて説明する。コイルは、導電性磁気絶縁性の第１の層と、第１の層の長さに沿って第１の層に接合された導磁性の第２の層とを含む。第１の層及び第２の層は、実質的に同心状の複数のループを形成するように巻かれている。第２の層の幅及び長さが、第１の層の長さに沿って第１の層の互いに反対側にある長手方向縁面を露出させるように、第１の層の対応する幅及び長さと実質的に同一の広がりを有してもよい。互いに反対側にある長手方向縁面の少なくとも一方が、実質的にコイルの全体にわたって、同じ第１の方向に実質的に沿って延びる、規則的パターンを含んでもよい。コイルを製造する方法について説明する。
2021536688.tif 000002
【特許請求の範囲】
【請求項１】
情報又はエネルギーを伝達するためのアンテナであって、
導電性磁気絶縁性の第１の層であって、幅Ｗ、厚さＴを有し、前記第１の層の長手方向の第１の端部と第２の端部との間で前記第１の層の長さＬに沿って長手方向に延びる、第１の層と、
前記第１の層の前記長さに沿って前記第１の層に接合された導磁性の第２の層であって、前記第１の層及び前記第２の層が巻かれて、実質的に同心状の複数のループを形成しており、前記第２の層の幅及び長さが、前記第１の層の前記長さに沿って前記第１の層の互いに反対側にある長手方向縁面を露出させるように、前記第１の層の対応する前記幅及び前記長さと実質的に同一の広がりを有する、第２の層と、
を備える、アンテナ。
【請求項２】
前記第１の層の前記互いに反対側にある長手方向縁面の少なくとも一方が、前記縁面にわたって実質的に横方向に延びる規則的パターンを含み、前記実質的に同心状の複数のループのうちの隣接する少なくとも複数のループの前記縁面の前記規則的パターンが、実質的に互いに位置合わせされている、請求項１に記載のアンテナ。
【請求項３】
前記規則的パターンのフーリエ変換が、前記実質的に同心状の複数のループの第１の領域における第１の空間周波数でのピークと、前記実質的に同心状の複数のループの異なる第２の領域における異なる第２の空間周波数でのピークとを有する、請求項２に記載のアンテナ。
【請求項４】
実質的に同心状の複数のループを形成するように巻かれた多層フィルムを備えるコイルであって、前記多層フィルムが、
導磁性の第１の層と、
前記第１の層に配置及び接合された複数の交互する第２の層及び第３の層であって、前記第２の層が導電性かつ磁気絶縁性であり、前記第３の層が電気絶縁性かつ磁気絶縁性であり、前記第１の層、前記第２の層、及び前記第３の層の幅及び長さが、前記第２の層の長手方向縁面が第３の層又は前記第１の層のいずれによっても覆われないように、実質的に互いに同一の広がりを有する、第２の層及び第３の層と、を含む、コイル。
【請求項５】
実質的に同心状の複数のループを備えるコイルであって、各ループが、隣接するループと実質的に垂直な縁面を含み、前記ループの長手方向と角度θをなす第１の方向に沿って延び、θが前記ループの前記長手方向に沿って変化する、規則的パターンを含む、コイル。
【請求項６】
実質的に同心状の複数のループを備えるコイルであって、各ループが、隣接するループと実質的に垂直な縁面を含み、前記縁面にわたって実質的に横方向に延びる規則的パターンを含み、隣接する少なくとも複数のループの前記縁面の前記規則的パターンが、実質的に互いに位置合わせされている、コイル。
【請求項７】
実質的に同心状の複数のループを備えるコイルであって、各ループが、少なくとも１つの軟磁性層と実質的に同心状である実質的に同心状の複数の金属層を含み、平面図において、前記コイルが、前記実質的に同心状の複数のループのうちの隣接する少なくとも複数のループにわたって延びる、実質的に平行な溝の規則的パターンを含むようになっている、コイル。
【請求項８】
実質的に同心状の複数のループを備えるコイルであって、各ループが、実質的に同心状の複数の交互する金属層及び第１の接着剤層と、隣接するループの間に配置され、前記隣接するループを接合する第２の接着剤層であって、前記第１の接着剤層よりも厚い第２の接着剤層とを含む、コイル。
【請求項９】
実質的に同心状の複数のループを備えるコイルであって、各ループが金属層を含み、平面図において、前記コイルが、実質的に前記コイルの全体にわたって、同じ第１の方向に実質的に沿って延びる、規則的パターンを含み、前記規則的パターンが、前記コイルの第１の領域における第１の平均ピッチと、前記コイルの異なる第２の領域における異なる第２の平均ピッチとを有するようになっている、コイル。
【請求項１０】
実質的に同心状の複数のループを備えるコイルであって、各ループが金属層を含み、平面図において、前記コイルが、実質的に前記コイルの全体にわたって、同じ第１の方向に実質的に沿って延びる、規則的パターンを含み、前記規則的パターンのフーリエ変換が、前記コイルの第１の領域における第１の空間周波数でのピークと、前記コイルの異なる第２の領域における異なる第２の空間周波数でのピークとを有するようになっている、コイル。
【請求項１１】
情報又はエネルギーを伝達するためのアンテナであって、
互いに反対側にある主面と、前記互いに反対側にある主面を接続する互いに反対側にある縁面とを含む導電性磁気絶縁性の第１の層と、
前記第１の層に配置及び接合され、前記第１の層の縁面を覆わないように前記第１の層の長さ及び幅と実質的に同一の広がりを有する、導磁性の第２の層であって、前記第１の層及び前記第２の層が、実質的に同心状の複数のループを形成するように巻かれている、第２の層と、
を備える、アンテナ。
【請求項１２】
情報又はエネルギーを伝達するための実質的に平面状のコイルであって、
導電性磁気絶縁性の第１の層と、
前記第１の層に配置及び接合され、前記第１の層の縁面を覆わないように前記第１の層の長さ及び幅と実質的に同一の広がりを有する、導磁性の第２の層と、
を備える、コイル。
【請求項１３】
実質的に同心状の複数のループを形成するように巻かれた多層フィルムを備えるコイルであって、前記多層フィルムが、
導電性磁気絶縁性の第１の層と、
前記第１の層に配置及び接合された導磁性の第２の層であって、前記第１の層及び前記第２の層の対応する縁面が、実質的に同一平面上にある、第２の層と、を含む、コイル。
【請求項１４】
アセンブリであって、
ロッドと、
前記ロッドと実質的に同心状に連続して複数回巻かれた多層フィルムであって、
複数の交互する金属層及び第１の接着剤層と、
前記複数の交互する金属層及び第１の接着剤層に配置及び接合された導磁性の第２の層とを含む、多層フィルムと、
を備える、アセンブリ。
【請求項１５】
コイルを製造する方法であって、
ロッドと、前記ロッドと実質的に同心状に連続して複数回巻かれたフィルムとを備えるアセンブリを供給することであって、前記フィルムが導電性の第１の層を含む、前記供給することと、
少なくとも１つの切断ワイヤを使用して前記アセンブリを実質的に横方向にスライスして、前記コイルを含む前記アセンブリの分離部分を形成することであって、前記コイルが、前記フィルムの分離部分の実質的に同心状の複数のループを含む、前記形成することと、
を含む、方法。
【発明の詳細な説明】
【背景技術】
【０００１】
アンテナに使用されるコイルが知られている。コイル間の誘導結合は、無線電力システムに使用することができる。この手法では、１つのデバイス内の送信器コイルが、短い距離で別のデバイス内の受信器コイルに電力を伝送する。
【発明の概要】
【０００２】
本説明のいくつかの態様では、情報又はエネルギーを伝達するためのアンテナが提供される。アンテナは、導電性磁気絶縁性の第１の層であって、幅Ｗ、厚さＴを有し、第１の層の長手方向の第１の端部と第２の端部との間で第１の層の長さＬに沿って長手方向に延びる、第１の層と、第１の層の長さに沿って第１の層に接合された導磁性の第２の層とを含む。第１の層及び第２の層は、実質的に同心状の複数のループを形成するように巻かれている。第２の層の幅及び長さが、第１の層の長さに沿って第１の層の互いに反対側にある長手方向縁面を露出させるように、第１の層の対応する幅及び長さと実質的に同一の広がりを有する。
【０００３】
本説明のいくつかの態様では、実質的に同心状の複数のループを形成するように巻かれた多層フィルムを含むコイルが提供される。多層フィルムは、導磁性の第１の層と、第１の層に配置及び接合された複数の交互する第２の層及び第３の層とを含む。第２の層は、導電性かつ磁気絶縁性である。第３の層は、電気絶縁性かつ磁気絶縁性である。第１の層、第２の層、及び第３の層の幅及び長さが、第２の層の長手方向縁面が第３の層又は第１の層のいずれによっても覆われないように、実質的に互いに同一の広がりを有する。
【０００４】
本説明のいくつかの態様では、実質的に同心状の複数のループを含むコイルが提供される。各ループは、隣接するループと実質的に垂直な縁面を含む。縁面は、ループの長手方向と角度θをなす第１の方向に沿って延びる規則的パターンを含む。θは、ループの長手方向に沿って変化する。
【０００５】
本説明のいくつかの態様では、実質的に同心状の複数のループを含むコイルが提供される。各ループは、隣接するループと実質的に垂直な縁面を含む。縁面は、縁面にわたって実質的に横方向に延びる規則的パターンを含む。隣接する少なくとも複数のループの縁面の規則的パターンは、実質的に互いに位置合わせされている。
【０００６】
本説明のいくつかの態様では、実質的に同心状の複数のループを含むコイルが提供される。各ループは、少なくとも１つの軟磁性層と実質的に同心状である実質的に同心状の複数の金属層を含み、平面図において、コイルが、実質的に同心状の複数のループのうちの隣接する少なくとも複数のループにわたって延びる、実質的に平行な溝の規則的パターンを含むようになっている。
【０００７】
本説明のいくつかの態様では、実質的に同心状の複数のループを含むコイルが提供される。各ループは、実質的に同心状の複数の交互する金属層及び第１の接着剤層を含む。第２の接着剤層が、隣接するループの間に配置され、隣接するループを接合する。第２の接着剤層は、第１の接着剤層よりも厚い。
【０００８】
本説明のいくつかの態様では、実質的に同心状の複数のループを含むコイルが提供される。各ループは金属層を含む。平面図において、コイルは、実質的にコイルの全体にわたって、同じ第１の方向に実質的に沿って延びる、規則的パターンを含む。規則的パターンは、コイルの第１の領域における第１の平均ピッチと、コイルの異なる第２の領域における異なる第２の平均ピッチとを有する。
【０００９】
本説明のいくつかの態様では、実質的に同心状の複数のループを含むコイルが提供される。各ループは金属層を含む。平面図において、コイルは、実質的にコイルの全体にわたって、同じ第１の方向に実質的に沿って延びる、規則的パターンを含む。規則的パターンのフーリエ変換が、コイルの第１の領域における第１の空間周波数でのピークと、コイルの異なる第２の領域における異なる第２の空間周波数でのピークとを有する。
【００１０】
本説明のいくつかの態様では、情報又はエネルギーを伝達するためのアンテナが提供される。アンテナは、実質的に同心状の複数のループを含み、各ループは金属層を含み、平面図及びアンテナの少なくとも１つの第１の領域において、アンテナが、第１の方向に沿った光学的かつトポグラフィ的（topographical）である規則的パターンと、直交する第２の方向に沿った光学的であるがトポグラフィ的でない規則的パターンとを含むようになっている。
【００１１】
本説明のいくつかの態様では、情報又はエネルギーを伝達するためのアンテナが提供される。アンテナは、互いに反対側にある主面と、互いに反対側にある主面を接続する互いに反対側にある縁面とを有する導電性磁気絶縁性の第１の層と、第１の層に配置及び接合され、第１の層の縁面を覆わないように第１の層の長さ及び幅と実質的に同一の広がりを有する、導磁性の第２の層とを含む。第１の層及び第２の層は、実質的に同心状の複数のループを形成するように巻かれている。
【００１２】
本説明のいくつかの態様では、情報又はエネルギーを伝達するための実質的に平面状のコイルが提供される。コイルは、導電性磁気絶縁性の第１の層と、第１の層に配置及び接合され、第１の層の縁面を覆わないように第１の層の長さ及び幅と実質的に同一の広がりを有する、導磁性の第２の層とを含む。
【００１３】
本説明のいくつかの態様では、実質的に同心状の複数のループを形成するように巻かれた多層フィルムを含むコイルが提供される。多層フィルムは、導電性磁気絶縁性の第１の層と、第１の層に配置及び接合された導磁性の第２の層であって、第１の層及び第２の層の対応する縁面が、実質的に同一平面上にある、第２の層とを含む。
【００１４】
本説明のいくつかの態様では、複数のループを含むコイル又はアンテナが提供される。各ループは、少なくとも１つの導電層及び少なくとも１つの他の層を含む。各ループは、複数の接着剤層と交互し得る複数の導電層を含んでもよい。少なくとも１つの他の層は、１つ以上の導磁性かつ／又は磁気的に軟質の層を含んでもよい。本説明のいくつかの態様では、コイル又はアンテナを製造する方法が提供される。方法は、アセンブリを切断又はスライスして、コイル又はアンテナを含むアセンブリの分離部分を提供することを含む。
【００１５】
本説明のいくつかの態様では、ロッドと、ロッドと実質的に同心状に連続して複数回巻かれた多層フィルムとを含むアセンブリが提供される。多層フィルムは、複数の交互する金属層及び第１の接着剤層と、複数の交互する金属層及び第１の接着剤層に配置及び接合された導磁性の第２の層とを含む。
【００１６】
本説明のいくつかの態様では、コイルを製造する方法が提供される。方法は、ロッドを供給することと、導電性の第１の層と、第１の層に配置された導磁性の第２の層とを含む多層フィルムを供給することと、ロッドに多層フィルムを巻き付けて、ロッドと、ロッドと実質的に同心状の多層フィルムの複数のループとを含むアセンブリを形成することと、アセンブリを実質的に横方向に切断して、アセンブリの分離部分を形成することと、を含む。アセンブリの分離部分は、コイルを含む。コイルは、多層フィルムの分離部分の実質的に同心状の複数のループを含む。
【００１７】
本説明のいくつかの態様では、コイルを製造する方法が提供される。方法は、ロッドを供給することと、多層フィルムを供給することであって、多層フィルムが、複数の交互する導電層及び第１の接着剤層を含み、かつ多層フィルムの最も外側の主面を含む第２の接着剤層を含む、供給することと、ロッドに多層フィルムを巻き付けて、ロッドと、ロッドと実質的に同心状の多層フィルムの複数のループとを含むアセンブリを形成することであって、各ループが、隣接するループに第２の接着剤層によって接合される、形成することと、アセンブリを実質的に横方向に切断して、アセンブリの分離部分を形成することと、を含む。アセンブリの分離部分は、コイルを含む。コイルは、多層フィルムの分離部分の実質的に同心状の複数のループを含む。
【００１８】
本説明のいくつかの態様では、複数のコイルを製造する方法が提供される。方法は、ロッドを供給することと、導電性の第１の層と、第１の層に配置及び接合された第２の層とを含む多層フィルムを供給することと、ロッドに多層フィルムを巻き付けて、ロッドと、ロッドと実質的に同心状の多層フィルムの複数のループとを含むアセンブリを形成することと、間隔を空けた複数の切断ワイヤを使用してアセンブリを実質的に横方向にスライスして、アセンブリの複数の分離部分を形成することであって、アセンブリの各分離部分が、複数のコイルのうちのコイルを含み、各コイルが、多層フィルムの分離部分の実質的に同心状の複数のループを含む、形成することと、を含む。
【００１９】
本説明のいくつかの態様では、コイルを製造する方法が提供される。方法は、ロッドと、ロッドと実質的に同心状に連続して複数回巻かれたフィルムとを含むアセンブリを供給することであって、フィルムが導電性の第１の層を含む、供給することと、少なくとも１つの切断ワイヤを使用してアセンブリを実質的に横方向にスライスして、コイルを含むアセンブリの分離部分を形成することであって、コイルが、フィルムの分離部分の実質的に同心状の複数のループを含む、形成することと、を含む。
【図面の簡単な説明】
【００２０】
【図１Ａ】それぞれコイルの概略上平面図及び概略側面図である。
【図１Ｂ】それぞれコイルの概略上平面図及び概略側面図である。
【図１Ｃ】図１Ａ及び図１Ｂのコイルの多層フィルムの概略断面図である。
【図１Ｄ】図１Ａ及び図１Ｂのコイルを含むアセンブリの概略上平面図である。
【図２】コイルの概略上平面図である。
【図３Ａ】コイルの概略上平面図である。
【図３Ｂ】コイルの概略上平面図である。
【図３Ｃ】図３Ａ及び図３Ｂのコイルの概略下平面図である。
【図４】多層フィルムの概略端面図である。
【図５Ａ】それぞれ多層フィルムの概略端面図及び概略側面図である。
【図５Ｂ】それぞれ多層フィルムの概略端面図及び概略側面図である。
【図６】アンテナを含むアセンブリの上面図である。
【図７Ａ】コイルの一部分のレーザー強度画像である。
【図７Ｂ】コイルの一部分の概略上平面図である。
【図８Ａ】それぞれコイルの第１の領域のレーザー強度画像及びトポグラフィマップである。
【図８Ｂ】それぞれコイルの第１の領域のレーザー強度画像及びトポグラフィマップである。
【図９】図８Ａ及び図８Ｂのコイルの第１の領域の一部分のトポグラフィマップである。
【図１０】図８Ａ及び図８Ｂのコイルの第１の領域における第１の方向に沿ったトポグラフィのプロットである。
【図１１】図８Ａ及び図８Ｂのコイルの第１の領域における直交する第２の方向に沿ったトポグラフィのプロットである。
【図１２】図８Ａ及び図８Ｂのコイルの第１の領域における表面トポグラフィの２次元フーリエ変換の大きさのプロットである。
【図１３】図１２のコイルの第１の領域における第１の方向に沿った表面トポグラフィのフーリエ変換の大きさのプロットである。
【図１４】図１２のコイルの第１の領域における第２の方向に沿った表面トポグラフィのフーリエ変換の大きさのプロットである。
【図１５Ａ】それぞれ図８Ａ及び図８Ｂのコイルの第２の領域のレーザー強度画像及びトポグラフィマップである。
【図１５Ｂ】それぞれ図８Ａ及び図８Ｂのコイルの第２の領域のレーザー強度画像及びトポグラフィマップである。
【図１６】図１５Ａ及び図１５Ｂのコイルの第２の領域の一部分のトポグラフィマップである。
【図１７】図１５Ａ及び図１５Ｂのコイルの第２の領域における第１の方向に沿ったトポグラフィのプロットである。
【図１８】図１５Ａ及び図１５Ｂのコイルの第２の領域における第２の方向に沿ったトポグラフィのプロットである。
【図１９】図１５Ａ及び図１５Ｂのコイルの第２の領域における表面トポグラフィのフーリエ変換の大きさのプロットである。
【図２０】図１５Ａ及び図１５Ｂのコイルの第２の領域における第１の方向に沿った表面トポグラフィのフーリエ変換の大きさのプロットである。
【図２１】図１５Ａ及び図１５Ｂのコイルの第２の領域における第２の方向に沿った表面トポグラフィのフーリエ変換の大きさのプロットである。
【図２２Ａ】それぞれ図８Ａ及び図８Ｂのコイルの第３の領域のレーザー強度画像及びトポグラフィマップである。
【図２２Ｂ】それぞれ図８Ａ及び図８Ｂのコイルの第３の領域のレーザー強度画像及びトポグラフィマップである。
【図２３】図２２Ａ及び図２２Ｂのコイルの第３の領域における第２の方向に沿ったトポグラフィのプロットである。
【図２４】図２２Ａ及び図２２Ｂのコイルの第３の領域における表面トポグラフィのフーリエ変換の大きさのプロットである。
【図２５】図２２Ａ及び図２２Ｂのコイルの第３の領域における第１の方向に沿った表面トポグラフィのフーリエ変換の大きさのプロットである。
【図２６】図２２Ａ及び図２２Ｂのコイルの第３の領域における第２の方向に沿った表面トポグラフィのフーリエ変換の大きさのプロットである。
【図２７Ａ】それぞれ図８Ａ及び図８Ｂのコイルの第４の領域におけるレーザー強度画像及びトポグラフィマップである。
【図２７Ｂ】それぞれ図８Ａ及び図８Ｂのコイルの第４の領域におけるレーザー強度画像及びトポグラフィマップである。
【図２８】図２７Ａ及び図２７Ｂのコイルの第４の領域における第２の方向に沿ったトポグラフィのプロットである。
【図２９】図２７Ａ及び図２７Ｂのコイルの第４の領域における表面トポグラフィのフーリエ変換の大きさのプロットである。
【図３０】図２７Ａ及び図２７Ｂのコイルの第４の領域における第１の方向に沿った表面トポグラフィのフーリエ変換のプロットである。
【図３１】図２７Ａ及び図２７Ｂのコイルの第４の領域における第２の方向に沿った表面トポグラフィのフーリエ変換の大きさのプロットである。
【図３２】コイルの上平面図である。
【図３３Ａ】それぞれ比較コイルの第１の領域におけるレーザー強度画像及びトポグラフィマップである。
【図３３Ｂ】それぞれ比較コイルの第１の領域におけるレーザー強度画像及びトポグラフィマップである。
【図３４】図３３Ａ及び図３３Ｂのコイルの第１の領域の一部分のトポグラフィマップである。
【図３５Ａ】それぞれより小さな及びより大きな座標長スケールでの、図３３Ａ及び図３３Ｂのコイルの第１の領域における第１の方向に沿ったトポグラフィのプロットである。
【図３５Ｂ】それぞれより小さな及びより大きな座標長スケールでの、図３３Ａ及び図３３Ｂのコイルの第１の領域における第１の方向に沿ったトポグラフィのプロットである。
【図３６】図３３Ａ及び図３３Ｂのコイルの第１の領域における、第１の領域における第２の方向に沿ったトポグラフィのプロットである。
【図３７】図３３Ａ及び図３３Ｂのコイルの第１の領域における表面トポグラフィのフーリエ変換の大きさのプロットである。
【図３８】図３３Ａ及び図３３Ｂのコイルの第１の領域における第１の方向に沿った表面トポグラフィのフーリエ変換の大きさのプロットである。
【図３９】図３３Ａ及び図３３Ｂのコイルの第１の領域における第２の方向に沿った表面トポグラフィのフーリエ変換の大きさのプロットである。
【図４０Ａ】それぞれ図３３Ａ及び図３３Ｂの比較コイルの第２の領域におけるレーザー強度画像及びトポグラフィマップである。
【図４０Ｂ】それぞれ図３３Ａ及び図３３Ｂの比較コイルの第２の領域におけるレーザー強度画像及びトポグラフィマップである。
【図４１】図４０Ａ及び図４０Ｂのコイルの第２の領域の一部分のトポグラフィマップである。
【図４２】図４０Ａ及び図４０Ｂのコイルの第２の領域における第１の方向に沿ったトポグラフィのプロットである。
【図４３Ａ】それぞれより小さな及びより大きな座標長スケールでの、図４０Ａ及び図４０Ｂのコイルの第２の領域における第２の方向に沿ったトポグラフィのプロットである。
【図４３Ｂ】それぞれより小さな及びより大きな座標長スケールでの、図４０Ａ及び図４０Ｂのコイルの第２の領域における第２の方向に沿ったトポグラフィのプロットである。
【図４４】図４０Ａ及び図４０Ｂのコイルの第２の領域における表面トポグラフィのフーリエ変換の大きさのプロットである。
【図４５】図４０Ａ及び図４０Ｂのコイルの第２の領域における第１の方向に沿った表面トポグラフィのフーリエ変換のプロットである。
【図４６】図４０Ａ及び図４０Ｂのコイルの第２の領域における第２の方向に沿った表面トポグラフィのフーリエ変換のプロットである。
【図４７】コイルの上平面図である。
【図４８Ａ】それぞれ比較コイルのコイルの第１の領域におけるレーザー強度画像及びトポグラフィマップである。
【図４８Ｂ】それぞれ比較コイルのコイルの第１の領域におけるレーザー強度画像及びトポグラフィマップである。
【図４８Ｃ】図４８Ａ及び図４８Ｂのコイルの第１の領域の一部分のトポグラフィマップである。
【図４９Ａ】それぞれより小さな及びより大きな座標長スケールでの、図４８Ａ及び図４８Ｂのコイルの第１の領域における第１の方向に沿ったトポグラフィのプロットである。
【図４９Ｂ】それぞれより小さな及びより大きな座標長スケールでの、図４８Ａ及び図４８Ｂのコイルの第１の領域における第１の方向に沿ったトポグラフィのプロットである。
【図５０】図４８Ａ及び図４８Ｂのコイルの第１の領域における第２の方向に沿ったトポグラフィのプロットである。
【図５１】図４８Ａ及び図４８Ｂのコイルの第１の領域における表面トポグラフィのフーリエ変換の大きさのプロットである。
【図５２】図４８Ａ及び図４８Ｂのコイルの第１の領域における第１の方向に沿った表面トポグラフィのフーリエ変換の大きさのプロットである。
【図５３】図４８Ａ及び図４８Ｂのコイルの第１の領域における第２の方向に沿った表面トポグラフィのフーリエ変換のプロットである。
【図５４Ａ】それぞれ図４８Ａ及び図４８Ｂのコイルの第２の領域のレーザー強度画像及びトポグラフィマップである。
【図５４Ｂ】それぞれ図４８Ａ及び図４８Ｂのコイルの第２の領域のレーザー強度画像及びトポグラフィマップである。
【図５５】図５４Ａ及び図５４Ｂのコイルの第２の領域の一部分のトポグラフィマップである。
【図５６】図５４Ａ及び図５４Ｂのコイルの第２の領域における第１の方向に沿ったトポグラフィのプロットである。
【図５７Ａ】それぞれより小さな及びより大きな座標長スケールでの、図５４Ａ及び図５４Ｂのコイルの第２の領域における第２の方向に沿ったトポグラフィのプロットである。
【図５７Ｂ】それぞれより小さな及びより大きな座標長スケールでの、図５４Ａ及び図５４Ｂのコイルの第２の領域における第２の方向に沿ったトポグラフィのプロットである。
【図５８】図５４Ａ及び図５４Ｂのコイルの第２の領域における表面トポグラフィのフーリエ変換の大きさのプロットである。
【図５９】図５４Ａ及び図５４Ｂのコイルの第２の領域における第１の方向に沿った表面トポグラフィのフーリエ変換のプロットである。
【図６０】図５４Ａ及び図５４Ｂのコイルの第２の領域における第２の方向に沿った表面トポグラフィのフーリエ変換のプロットである。
【図６１】ロッド内のスリットに挿入された端部を有する多層フィルムの概略図である。
【図６２】ロッドに巻き付けられる多層フィルムの概略図である。
【図６３】アセンブリの概略斜視図である。
【図６４】アセンブリをスライスして１つ以上のコイルを製造することを示す概略図である。
【図６５】ダイヤモンドワイヤの概略側面斜視図である。
【図６６】送受信器の概略側面図である。
【発明を実施するための形態】
【００２１】
以下の説明では、本明細書の一部を構成し、様々な実施形態が実例として示される、添付図面が参照される。図面は、必ずしも正確な比率の縮尺ではない。本開示の範囲又は趣旨から逸脱することなく、他の実施形態が想到され、実施可能である点を理解されたい。したがって、以下の発明を実施するための形態は、限定的な意味では解釈されないものとする。
【００２２】
本明細書で説明するコイルは、情報（例えば、デジタル若しくはアナログデータ）又はエネルギー（例えば、無線充電用エネルギー）を伝達するために有用であり得る。導電層と共に導磁性及び／又は磁気的に軟質の層を組み込んだコイルが、情報又はエネルギーを効率的に伝達することが望ましい用途に有用であることが見出されている。例えば、コイルは、セルラー電話などの電子デバイスに電力供給するバッテリの無線充電に有用であり得る。コイルは、例えば、無線充電中に磁場を導くように、バッテリ及び／若しくは電子デバイスの他の構成要素を電磁場から遮蔽するように、磁場によって誘導される渦電流を低減するように、かつ／又は無線充電システムの伝達効率及び／若しくはＱファクターを向上させるように機能することができる。アンテナという用語は、例えば、情報又はエネルギーを伝達するように構成されたコイルを指すために使用され得る。
【００２３】
より高い透磁率の材料及びより低い透磁率の材料が（例えば、コイル内で）一緒に使用される場合、磁場線が、より高い透磁率の材料に集中しやすく、低い透磁率の材料に集中しにくい傾向があるので、（例えば、真空透磁率よりも著しく高い）高透磁率の材料を導磁性として、また（例えば、真空透磁率と同等の）低透磁率の材料を磁気絶縁性として説明することができる。
【００２４】
導磁性の材料又は層は、少なくとも２の比透磁率を有する材料又は層であり、磁気絶縁性の材料又は層は、１．５以下の比透磁率を有する材料又は層である。いくつかの実施形態では、導磁性層は、２超、１０超、又は１００超の比透磁率を有する。いくつかの実施形態では、磁気絶縁層は、１．５未満、１．４未満、１．２未満、１．１未満、又は１．０５未満の比透磁率を有する。いくつかの実施形態では、磁気絶縁層は、例えば、０．９９〜１．０５の範囲内の比透磁率を有する。いくつかの実施形態では、コイルは、各ループが磁気絶縁層及び導磁性層を含む複数のループを含む。いくつかの実施形態では、導磁性層の比透磁率は、磁気絶縁層の比透磁率の少なくとも１０倍又は少なくとも１００倍である。別段の指示がない限り、比透磁率は、複素比透磁率の実数部分を指す。
【００２５】
実質的に非磁性の金属は、１に近い（例えば、０．９８〜１．１、０．９９〜１．０５、又は０．９９〜１．０１の範囲内の）比透磁率を有し、安定した磁気秩序相を有していない金属である。安定した相は、別段の指示がない限り、磁場が適用されていない場合に２０℃で熱力学的に安定した巨視的相である。磁気秩序相としては、強磁性相、反強磁性相、及びフェリ磁性相が挙げられる。
【００２６】
軟磁性の材料又は層は、１０００Ａ／ｍ以下の保磁力を有する材料又は層である。保磁力は、材料を消磁するために必要な磁場強度の尺度である。低保磁力を有する軟磁性材料又は磁性材料を、容易に消磁される磁性材料として説明することができる。いくつかの実施形態では、軟磁性層は、１０００Ａ／ｍ未満、１００Ａ／ｍ未満、５０Ａ／ｍ未満、又は２０Ａ／ｍ未満の保磁力を有する。
【００２７】
いくつかの実施形態では、導磁性層は磁気的に軟質である。そのような層は、２超、１０超、又は１００超の比透磁率と、１０００Ａ／ｍ未満、１００Ａ／ｍ未満、５０Ａ／ｍ未満、又は２０Ａ／ｍ未満の保磁力とを有してもよい。
【００２８】
導磁性層又は軟磁性層は、導電性（例えば、２００μΩｃｍ以下の電気抵抗率）又は電気絶縁性（例えば、少なくとも１００Ωｍの電気抵抗率）であってもよい。いくつかの実施形態では、電気絶縁層（例えば、導磁性電気絶縁層又は電気絶縁性の軟磁性層）は、１００Ωｍ超、２００Ωｍ超、５００Ωｍ超、又は１０００Ωｍ超の電気抵抗率を有する。いくつかの実施形態では、導電層（例えば、磁気絶縁導電層、又は導磁性導電層、又は導電性の軟磁性層）は、２００μΩｃｍ未満、１００μΩｃｍ未満、５０μΩｃｍ未満、２０μΩｃｍ未満、又は１０μΩｃｍ未満の電気抵抗率を有する。いくつかの実施形態では、導磁性及び／又は磁気的に軟質の材料は、導電性である。導電層は、そのような磁性材料の連続層として形成することができる。電気絶縁層は、層を通る電気的に連続した経路が形成されない濃度で、そのような磁性材料の粒子を電気絶縁性のバインダ中に分散させることによって形成することができる。より高い濃度では、層は導電性になることがある。いくつかの実施形態では、複合層が、一部の粒子が導電性であり、他の粒子が電気絶縁性である、異なる種類の軟磁性粒子を含む。抵抗率は、導電性粒子の体積割合を調節することによって調節することができる。電気抵抗率は、別段の指示がない限り、固有の電気抵抗率を指す。
【００２９】
磁気及び電気特性（例えば、比透磁率、保磁力、電気抵抗率）は、別段の指示がない限り、低周波数（例えば、約１ｋＨｚ以下）で評価されるか又は静的に（直流）評価される、対応する特性を指し、別段の指示がない限り、２０℃で決定される。
【００３０】
導磁性及び／又は軟磁性の層のために、好適な任意の磁性材料を使用することができる。鉄、コバルト、又はニッケルのうちの任意の２つ又は３つ全てを含む結晶合金を使用することができる。例えば、磁歪、抵抗率、透磁率、飽和磁気誘導、保磁力、残留磁気、及び／又は腐食などの特性を変化させるために、追加の元素を任意選択的に追加することができる。そのような合金の例としては、ＮｉＦｅ、ＮｉＦｅＭｏ、ＦｅＳｉ、ＦｅＡｌＳｉ、及びＦｅＣｏが挙げられる。非晶質合金を使用してもよい。例えば、ケイ素及びホウ素などの半金属と共にコバルト及び／又は鉄を含む、非晶質合金を使用してもよい。そのような合金は、当該技術分野において知られている。ナノ結晶合金などのナノ結晶材料を使用してもよい。例えば、鉄、ケイ素、及び／又はホウ素を含むナノ結晶合金と、焼きなまし時のナノ結晶の核形成及び成長を制御するために追加される他の任意選択的な元素とを使用してもよい。これらの合金の多くは、鉄、ケイ素、ホウ素、ニオブ、及び銅を含む。有用なＦｅＳｉＢＮｂＣｕ合金としては、ＶＡＣＵＵＭＳＣＨＭＥＬＺＥ  ＧｍｂＨ  ＆  Ｃｏ．から商品名ＶＩＴＲＯＰＥＲＭとして入手可能なもの、及びＨｉｔａｃｈｉ  Ｍｅｔａｌｓ，Ｌｔｄ．から商品名ＦＩＮＥＭＥＴとして入手可能なものが挙げられる。フェライトもまた使用することができる。フェライトは、鉄の酸化物及び少なくとも１つの他の金属を含む。有用なフェライトの例としては、ＭｎＺｎフェライト又はＮｉＺｎフェライトなどの軟質の立方体フェライト材料が挙げられる。そのような材料は、Ｆｅｒｒｏｘｃｕｂｅなどの多くの供給元から入手可能である。
【００３１】
いくつかの実施形態では、導磁性及び／又は軟磁性の層は、例えば合金などの金属を含む。いくつかの実施形態では、合金は鉄合金である。いくつかの実施形態では、合金は、鉄と、ケイ素、アルミニウム、ホウ素、ニオブ、銅、コバルト、ニッケル、又はモリブデンのうちの少なくとも１つとを含む。いくつかの実施形態では、合金は、鉄と、ケイ素、ホウ素、ニオブ、又は銅のうちの少なくとも１つとを含む。いくつかの実施形態では、合金は、鉄、ケイ素、及びホウ素を含み、いくつかの実施形態では、合金は、ニオブ及び銅を更に含む。いくつかの実施形態では、合金は、鉄と、ケイ素及びアルミニウムの少なくとも一方とを含む。いくつかの実施形態では、合金は、鉄、アルミニウム、及びケイ素を含む。いくつかの実施形態では、合金は、ニッケル及び鉄を含む。いくつかの実施形態では、合金は、鉄、コバルト、及びニッケルを含む。いくつかの実施形態では、合金は、ニッケル、鉄、及びモリブデンを含む。いくつかの実施形態では、合金は、鉄及びケイ素を含む。いくつかの実施形態では、合金は、ニッケル、鉄、及びモリブデンを含む。いくつかの実施形態では、合金は結晶合金である。いくつかの実施形態では、結晶合金は、鉄、コバルト、及びニッケルから選択される少なくとも２つの異なる金属を含む。いくつかの実施形態では、合金はナノ結晶合金である。いくつかの実施形態では、ナノ結晶合金は、鉄、ケイ素、ホウ素、ニオブ、及び銅を含む。いくつかの実施形態では、合金は非晶質合金である。いくつかの実施形態では、非晶質合金は、コバルト又は鉄の少なくとも一方と、ケイ素又はホウ素の少なくとも一方とを含む。いくつかの実施形態では、導磁性及び／又は軟磁性の層は、マンガン−亜鉛フェライト又はニッケル−亜鉛フェライトなどのフェライトを含む。
【００３２】
いくつかの実施形態では、鉄合金の連続した導電層が、導磁性及び／又は軟磁性の層として使用される。いくつかの実施形態では、導磁性層又は軟磁性層は、バインダ（例えば、熱硬化性接着剤、エポキシ、又はエポキシを含む混合物のうちの少なくとも１つ）中に分散した粒子（例えば、導磁性フィラー）を含む。導磁性フィラーは、上記の磁性材料のうちのいずれかの粒子とすることができる、又はそれらの粒子を含むことができる。いくつかの実施形態では、粒子は、鉄−ケイ素−ホウ素−ニオブ−銅合金であり得るか又はそれを含み得る、例えば、鉄−アルミニウム−ケイ素合金（例えば、センダスト）であり得るか又はそれを含み得る、金属粒子である。いくつかの実施形態では、粒子は、マンガン−亜鉛フェライト粒子又はニッケル−亜鉛フェライト粒子などのフェライト粒子である。粒子又は連続的な導磁性及び／若しくは軟磁性の層の好適な他の材料としては、鉄ニッケル磁性合金（permalloy）、モリブデン鉄ニッケル磁性合金、及び超合金が挙げられる。異なる粒子の組み合わせを使用してもよい。いくつかの実施形態では、粒子は、鉄−ケイ素−ホウ素−ニオブ−銅合金又は鉄−アルミニウム−ケイ素合金の少なくとも一方を含む、金属粒子を含む。粒子は、好適な任意の形状及びサイズを有することができる。いくつかの実施形態では、粒子は薄片である。薄片は、薄片の最大横寸法と比べて小さな（例えば、少なくとも４倍小さい又は少なくとも８倍小さい）厚さを有してもよく、例えば、不規則な縁部形状を有してもよい。
【００３３】
有用な導電性磁気絶縁材料としては、例えば、非鉄金属及びオーステナイト系ステンレス鋼などの実質的に非磁性の金属が挙げられる。非鉄金属は、元素金属、又は相当量の鉄を含まない（例えば、鉄なし、又は金属の磁気特性に著しい影響を及ぼさない少量のみ（例えば、微量）の鉄）金属合金であり得る、金属である。有用な非鉄金属としては、例えば、アルミニウム、銅、亜鉛、鉛、銀、及びそれらの合金が挙げられる。いくつかの実施形態では、アンテナ又はコイルに使用される導電性磁気絶縁層は、例えば、銅若しくは銅合金であり得るか又はそれを含み得る、金属であるか又はそれを含む。
【００３４】
本説明のいくつかの態様では、コイル又はアンテナを効率的に製造する方法が記載される。いくつかの実施形態では、コイル又はアンテナを製造する方法は、本明細書の他の箇所で更に説明するように、少なくとも１つの導電層を有するフィルムをロッドに巻き付けてアセンブリを形成する工程を含む。フィルムは、例えば、１つ以上の金属層を含んでもよい。より薄い複数の金属層を使用することにより、ロッドにフィルムを巻き付けて、ロッドと実質的に同心状のループ又は巻きを形成することを、例えば、（例えば、長さに沿って実質的に同じ低周波数抵抗を提供するために）全体厚さが同じ単一の金属層を使用する場合よりも、容易に実施することができる。場合によっては、より薄い複数の層が、より高い周波数でのスキン深さの減少によるコイルの実効電気抵抗の蓄積を低減させる表面積の増加をもたらすために、有利に使用される。いくつかの実施形態では、コイル又はアンテナを製造する方法は、１つ以上のダイヤモンドワイヤによってアセンブリをスライスして、アセンブリのコイル又はアンテナを含むセクションを形成することを含む。このスライス又は他の方法により、コイル又はアンテナの片側又は両側に規則的パターン（例えば、実質的に平行な溝の規則的パターン）を生成することができる。そのような規則的パターンについては、本明細書の他の箇所で更に説明する。
【００３５】
実質的に同心状の物体（例えば、コイル内の実質的に同心状のループ）は、同じか又は近い（例えば、最大横寸法（例えば、最も外側のループの直径）の２０％以内、１０％以内、又は５％以内で中心に置かれた）中心を有する。実質的に同心状のループは、例えば、実質的に円形、楕円形、又は丸みを帯びた矩形の形状を有することができる。
【００３６】
多層フィルムは、接着剤層によって互いに接合された隣接する層を含むことができ、コイル又はアンテナの隣接するループは、接着剤層によって互いに接合することができる。有用な接着剤は、例えば、熱硬化性接着剤、エポキシ、アクリレート、又はポリウレタンのうちの１つ以上であり得る。
【００３７】
図１Ａ及び図１Ｂは、いくつかの実施形態によるコイル１００の概略上面図及び概略側面図である。コイル１００は、情報又はエネルギーを伝達するためのアンテナであってもよく、又はアンテナに使用されてもよい。コイル又はアンテナ１００は、幅Ｗ、厚さＴを有する第１の層１０であって、第１の層１０の長手方向の第１の端部１１と第２の端部１２との間で第１の層１０の長さに沿って長手方向に延びる第１の層を含む。アンテナ１００は、第１の層１０の長さに沿って第１の層１０に接合された第２の層２０を更に含む。第１の層１０及び第２の層２０は、実質的に同心状の複数のループ１１０を形成するように巻かれている。第２の層の幅Ｗ１及び長さは、第１の層１０の互いに反対側にある長手方向縁面１３及び１４を第１の層１０の長さに沿って露出させるように、第１の層の対応する幅Ｗ及び長さと実質的に同一の広がりを有する。いくつかの実施形態では、第１の層１０は導電性磁気絶縁層であり、第２の層２０は導磁性層である。第２の層２０は、第２の層２０の長さに沿って互いに反対側にある長手方向縁面２１及び２６を有し、長手方向の第１の端部２７及び第２の端部２８を有する。層の長手方向縁面は、層の長手方向（例えば、図３Ａに示す長手方向１２３）に延び、層の長手方向端部は、層の長手方向に互いに反対側にある端部に配置される。
【００３８】
第１の層の第１の長さ又は幅が第２の層の第１の長さ又は幅と実質的に同一の広がりを有する場合、対応する長さ又は幅は、実質的に互いに重なり合う（例えば、第１の長さ又は幅は、第２の長さ又は幅の少なくとも８０％、少なくとも９０％、又は少なくとも９５％と重なり合い、第１の長さ又は幅は、第１の長さ又は幅の少なくとも８０％、少なくとも９０％、又は少なくとも９５％と重なり合う）。
【００３９】
いくつかの実施形態では、アンテナ又はコイル１００は、第１の層１０の長さに沿って第１の層１０に接合された少なくとも１つの第３の層１７を更に含む。各第３の層１７は、第１の層１０の対応する幅及び長さと実質的に同一の広がりを有する幅及び長さを有する。第１の層１０、第２の層２０、及び少なくとも１つの第３の層１７は、実質的に同心状の複数のループ１１０を形成するように巻かれている。各第３の層１７は、第２の層２０の長さに沿って互いに反対側にある長手方向縁面３３及び３４を有し、長手方向の第１の端部１８及び第２の端部１９を有する。
【００４０】
いくつかの実施形態では、コイル１００は、第１の層１０と少なくとも１つの第３の層１７とを接合する第１の接着剤層３０を含み、隣接するループ１１０の間に配置され、隣接するループを接合する第２の接着剤層４２を含む。いくつかの実施形態では、第２の接着剤層４２は、第１の接着剤層３０よりも（例えば、少なくとも１．５又は２倍）厚い。コイル１００は、第１の層１０を第２の層２０に接合する第３の接着剤層４０を更に含む。いくつかの実施形態では、第３の接着剤層４０は、第１の接着剤層３０よりも（例えば、少なくとも１．５又は２倍）厚い。いくつかの実施形態では、少なくとも１つの第３の層１１７は、少なくとも１つの導電性磁気絶縁層を含む。いくつかの実施形態では、少なくとも１つの第３の層１１７は、少なくとも１つの導磁性層を含む。
【００４１】
場合によっては、第１の層１０と各第３の層１７は、例えば、組成、形状、又は機能において類似する。そのような場合又は他の場合には、１つ以上の第３の層１７と共に第１の層１０を複数の第１の層として説明してもよい。様々な層について代替的な命名法を使用できることが理解されるであろう。例えば、層２０を第１の層として説明してもよく、１つ以上の第３の層１７と共に層１０を複数の第２の層として説明してもよい。
【００４２】
様々な層の厚さ及び幅を、好適な任意の値となるように選択してもよい。いくつかの実施形態では、より薄い第１の層１０及び／又は第３の層１７が、コイル又はアンテナをより高い周波数で動作させることが望ましい場合に選択され、より厚い第１の層１０及び／又は第３の層１７が、コイル又はアンテナをより低い周波数で動作させることが望ましい場合に選択される。より高い周波数では、電流は、導体の表面でスキン層に部分的に閉じ込められる可能性があり、コイルの実効電気抵抗を増加させる傾向がある。複数の第１の層１０及び／又は第３の層１７を使用することで、電流をより多くの面に分散させ、コイルの実効電気抵抗に対する低減されたスキン深さの影響を低減させることができる。いくつかの実施形態では、第１の層１０及び／又は第３の層１７はそれぞれ、少なくとも５マイクロメートル、少なくとも１０マイクロメートル、少なくとも２０マイクロメートル、又は少なくとも４０マイクロメートルの厚さを有する。いくつかの実施形態では、第１の層１０及び／又は第３の層１７はそれぞれ、２０００マイクロメートル以下、１０００マイクロメートル以下、５００マイクロメートル以下、又は２５０マイクロメートル以下の厚さを有する。例えば、いくつかの実施形態では、１０００マイクロメートル≧Ｔ≧１０マイクロメートルである。層の幅（例えば、Ｗ又はＷ１）は、層の厚さと比べて、小さくてもよく、同等でもよく（例えば、２０％以内若しくは１０％以内で等しい）、又は大きくてもよい。いくつかの実施形態では、第１の層１０の幅の厚さに対する比は、少なくとも０．１、少なくとも１、又は少なくとも５である（すなわち、いくつかの実施形態では、Ｗ／Ｔ≧０．１、Ｗ／Ｔ≧１、又はＷ／Ｔ≧５である）。例えば、いくつかの実施形態では、１０００≧Ｗ／Ｔ≧０．１である。第２の層２０は厚さＴ１を有する。いくつかの実施形態では、第２の層２０の幅の厚さに対する比は、少なくとも０．１、少なくとも１、少なくとも５、又は少なくとも１０である（すなわち、いくつかの実施形態では、Ｗ１／Ｔ１≧０．１、Ｗ１／Ｔ１≧１、Ｗ１／Ｔ１≧５、又はＷ１／Ｔ１≧１０である）。例えば、いくつかの実施形態では、１０００≧Ｗ１／Ｔ１≧０．１である。いくつかの実施形態では、第１の層１０の厚さＴは、第２の層２０の厚さＴ１よりも大きい。他の実施形態では、第１の層１０の厚さＴは、第２の層２０の厚さＴ１よりも小さい。いくつかの実施形態では、第１の層１０の厚さＴと第２の層２０の厚さＴ１は、ほぼ等しい。層のうちのいずれかの長さは、層の幅又は厚さよりも実質的に長くてもよい（例えば、長さは、幅及び厚さの一方又は両方の少なくとも５倍又は少なくとも１０倍であってもよい）。
【００４３】
いくつかの実施形態では、アンテナ又はコイル１００を、実質的に同心状の複数のループ１１０を形成するように巻かれた多層フィルム２０２を含むものとして説明することができ、多層フィルム２０２は、第１の層２０と、第１の層２０に配置及び接合された複数の第２の層（１０及び１７）とを含む。第１の層１０及び少なくとも１つの第３の層１７は、第２の層２０の同じ側に配置されてもよく、又は、第１の層１０及び少なくとも１つの第３の層１７のうちの１つ以上は、第２の層２０の一方の同じ側に配置されてもよく、第１の層１０及び少なくとも１つの第３の層１７のうちの残りの層は、第２の層２０の反対側に配置されてもよい。
【００４４】
いくつかの実施形態では、多層フィルム２０２は、第１の層（例えば、層２０）と、第１の層に配置及び接合された、複数の交互する第２の層（例えば、層１０及び１７）及び第３の層（例えば、層３０）とを含む。いくつかの実施形態では、第１の層は導磁性層であり、第２の層は導電性磁気絶縁層であり、第３の層は電気絶縁性かつ磁気絶縁性である。第１の層は、導磁性層について本明細書の他の箇所で説明する範囲のうちのいずれかの比透磁率を有してもよい。第１の層は、導電性であってもよく、又は電気絶縁性であってもよい。第２及び／又は第３の層は、磁気絶縁層について本明細書の他の箇所で説明する範囲のうちのいずれかの比透磁率を有してもよい。各第３の層は、接着剤（例えば、熱硬化性接着剤及び／又はエポキシ）であり得る。いくつかの実施形態では、第１、第２、及び第３の層の幅及び長さは、第２の層の長手方向縁面（例えば、縁面１３及び１４）が第３の層又は第１の層のいずれによっても覆われないように、実質的に互いに同一の広がりを有する。
【００４５】
アンテナ又はコイル１００は、互いに反対側にある主面７６及び７７を含む。主面７６及び７７の一方又は両方は、本明細書の他の箇所で更に説明するように、規則的パターン（例えば、実質的に平行な溝の規則的パターン）を含んでもよい。例えば、いくつかの実施形態では、規則的パターンを、以下の方法のうちの任意の１つ以上で説明してもよい。規則的パターンは、実質的にコイル全体にわたって、同じ第１の方向に実質的に沿って延びてもよい。規則的パターンは、ループの長手方向と角度θをなす第１の方向に沿って延びてもよく、θは、ループの長手方向に沿って変化する。多層フィルムの分離部分の隣接する少なくとも複数のループの縁面の規則的パターンは、実質的に互いに位置合わせされていてもよい。規則的パターンは、多層フィルムの分離部分の隣接する少なくとも複数のループにわたって延びる、実質的に平行な溝のパターンを含んでもよい。規則的パターンは、コイルの第１の領域における第１の平均ピッチと、コイルの異なる第２の領域における異なる第２の平均ピッチとを有してもよい。規則的パターンのフーリエ変換が、コイルの第１の領域における第１の空間周波数でのピークと、コイルの異なる第２の領域における異なる第２の空間周波数でのピークとを有してもよい。コイルは、コイルの少なくとも１つの第１の領域において、第１の方向に沿った光学的かつトポグラフィ的である規則的パターンと、直交する第２の方向に沿った光学的であるがトポグラフィ的でない規則的パターンとを含んでもよい。
【００４６】
図１Ｃは、ループ１１０の長手方向と垂直な断面における多層フィルム２０２の概略断面図である。多層フィルム２０２は、実質的に矩形の断面を有する。例えば、断面は名目上矩形であってもよく、又は、フィルムの厚さと比べて（例えば、少なくとも５倍、少なくとも１０倍、若しくは少なくとも２０倍）大きな曲率半径を有する丸みを帯びたコーナーを除いて、及び／又は２０度以下、１０度以下、若しくは５度以下で平行からずれた互いに反対の側を有することを除いて、矩形であってもよい。矩形は、様々な層の幅及び厚さに応じて、ｘ方向をｙ方向よりも長く、又は短くすることができる。正方形は矩形の特殊な場合と見なすことができるため、実質的に矩形の断面はまた、実質的に正方形の断面も含む。いくつかの実施形態では、実質的に同心状の複数のループ１１０のうちの各ループについて、多層フィルム２０２は、ループの長手方向と垂直な平面において実質的に矩形の断面を有する。いくつかの実施形態では、同心状の複数のループ１１０のうちの各ループは、ループの長手方向と垂直な平面において実質的に矩形の断面を有する。
【００４７】
図１Ｄは、コイル１００及びロッド３７を含むアセンブリ１０１の概略上面図である。本明細書の他の箇所で更に説明するように、アセンブリ１０１は、ロッドに多層フィルムを巻き付け、得られたアセンブリを、切断によって分離されたアセンブリの部分が所望の幅をもたらすように切断する（例えば、ワイヤソーでスライスする）ことによって製造することができる。ロッド３７は、アセンブリ１０１を形成する際に使用された初期ロッドのスライスされたセグメントであってもよい。
【００４８】
第１の層１０及び任意選択的な少なくとも１つの第３の層１７はそれぞれ、導電性磁気絶縁層、金属層、非鉄金属層、又は実質的に非磁性の金属層のうちの１つ以上であってもよく、本明細書の他の箇所で説明する対応する範囲のうちのいずれかの伝導率及び／又は比透磁率を有してもよく、本明細書の他の箇所で説明する対応する材料（例えば、銅又は銅合金）で作られてもよい。第２の層２０は、導磁性層又は軟磁性層の１つ以上であってもよく、本明細書の他の箇所で説明する対応する範囲のうちのいずれかの比透磁率及び／又は保磁力を有してもよく、本明細書の他の箇所で説明する対応する材料（例えば、バインダ中の鉄−ケイ素−ホウ素−ニオブ−銅合金の粒子）で作られてもよい。いくつかの実施形態では、各ループは、１．１未満の比透磁率を有する少なくとも１つの金属層（例えば、層１０）と、少なくとも１０の比透磁率を有する少なくとも１つの層（例えば、層２０）とを含む。いくつかの実施形態では、各ループ１１０は、少なくとも１つの実質的に非磁性の金属層（例えば、層１０）と、少なくとも１つの軟磁性層（例えば、層２０）とを含む。いくつかの実施形態では、各ループ１１０は、少なくとも１つの導電性磁気絶縁層（例えば、層１０）と、少なくとも１つの導磁性層（例えば、層２０）とを含む。いくつかの実施形態では、各ループ１１０は、１００μΩｃｍ未満の電気抵抗率及び１．４未満の比透磁率を有する少なくとも１つの第１の層（例えば、層１０及び／又は１７）と、２超の比透磁率及び１０００Ａ／ｍ未満の保磁力を有する少なくとも１つの第２の層（例えば、層２０）とを含む。いくつかの実施形態では、各ループは、１００μΩｃｍ未満の電気抵抗率及び１．１未満の比透磁率を有する少なくとも１つの第１の層（例えば、層１０及び／又は１７）と、１０超の比透磁率及び１００Ａ／ｍ未満の保磁力を有する少なくとも１つの第２の層（例えば、層２０）とを含む。
【００４９】
いくつかの実施形態では、情報又はエネルギーを伝達するためのコイル又はアンテナ１００は、導電性磁気絶縁性の第１の層１０であって、互いに反対側にある主面１５及び１６と、互いに反対側にある主面１５及び１６を接続する互いに反対側にある縁面１３及び１４とを含む第１の層１０と、第１の層１０に配置及び接合され、第１の層の縁面１３及び１４を覆わないように第１の層１０の長さ及び幅と実質的に同一の広がりを有する、導磁性の第２の層２０であって、第１の層１０及び第２の層２０が、実質的に同心状の複数のループ１１０を形成するように巻かれている、第２の層とを含む。
【００５０】
いくつかの実施形態では、コイル１００は、実質的に平面状である。例えば、コイル１００は、図示するｘ−ｙ−ｚ座標系を基準とする図１Ａ〜図１Ｄのｘ−ｙ平面と平行な平面に主に配置されてもよく、コイルの平面と垂直な平面におけるコイルの断面の任意の曲率半径が、コイルの直径又は最大横寸法と比べて（例えば、少なくとも５倍、少なくとも１０倍、又は少なくとも２０倍）大きい。
【００５１】
いくつかの実施形態では、情報又はエネルギーを伝達するための実質的に平面状のコイル１００が、導電性磁気絶縁性の第１の層１０と、第１の層１０に配置及び接合され、第１の層１０の縁面１３及び１４を覆わないように第１の層の長さ及び幅と実質的に同一の広がりを有する、導磁性の第２の層２０とを含む。
【００５２】
アンテナ又はコイル１００のいくつかの実施形態では、第１の層１０及び第２の層２０の対応する縁面（１３、２１及び１４、２２）は、実質的に同一平面（例えば、図４及び図５Ａに示す平面Ｓ１及びＳ２を参照）上にある。本明細書の他の箇所で説明する方法は、いくつかの実施形態では、第２の層２０が、第１の層１０の縁面１３及び１４を覆わないように第１の層の長さ及び幅と実質的に同一の広がりを有することを確実にすることができ、いくつかの実施形態では、実質的に同一平面上にある第１の層１０及び第２の層２０の対応する縁面を形成することができる。
【００５３】
コイル１００は、第２の層２０を第１の層１０の外側にしてループに巻かれている。コイルは、代わりに、第１の層１０を第２の層２０の外側にしてループに巻かれてもよい。図２は、第１の層１０を第２の層２０の外側にして巻かれたアンテナ又はコイル２００の概略上面図である。図示した実施形態では、コイル２００は、第１の層１０が第２の層２０と少なくとも１つの第３の層１７との間に配置された、少なくとも１つの第３の層１７を含む。
【００５４】
図３Ａ及び図３Ｂは、第１の層１０の互いに反対側にある長手方向縁面の少なくとも一方が規則的パターン１２０を含む、アンテナ又はコイル３００の概略上面図である。図３Ｃは、いくつかの実施形態によるアンテナ又はコイル３００の概略下面図である。規則的パターン１２０は、例えば、溝の規則的パターンであり得る。いくつかの実施形態では、長手方向縁面１３は、第１の規則的パターン（例えば、上平面図に規則的パターン１２０として現れる）を含み、長手方向縁面１４は、第２の規則的パターン（例えば、下平面図に規則的パターン１２０ｂとして現れる）を含む。他の実施形態では、規則的パターンは、上平面図及び下平面図の一方又は他方にのみ存在する。コイル１００及び／又は２００は、例えばコイル３００について説明した規則的パターンを含んでもよい。
【００５５】
いくつかの実施形態では、実質的に同心状の複数のループ１１０のうちの各ループ１１０ａは、隣接するループ１１０ｂと実質的に垂直な（例えば、垂直に対して２０度以内、１０度以内、又は５度以内で）縁面１１１を有し、規則的パターン１２０を含む。いくつかの実施形態では、規則的パターン１２０は、ループ１１０の長手方向１２３と角度θをなす第１の方向１２２に沿って延び、θは、ループ１１０の長手方向１２３に沿って変化する。いくつかの実施形態では、規則的パターン１２０は、（（例えば、ｘ−ｙ平面と平行な）縁面１１１を含むコイルの主面の平面の２０度以内、１０度以内、５度以内、又は３度以内で）縁面１１１にわたって実質的に横方向に延びる。いくつかの実施形態では、規則的パターン１２０は、縁面１１１にわたって実質的に横方向に、同じ第１の方向１２２に実質的に沿って延びる。いくつかの実施形態では、隣接する少なくとも複数のループ１１０の縁面１１１の規則的パターン１２０は、実質的に互いに位置合わせされている。いくつかの実施形態では、各ループは、縁面１１１（第１の縁面）とは反対側の第２の縁面１１１ｂ（例えば、図３Ｃを参照）を含み、第２の縁面１１１ｂは、第２の縁面１１１ｂにわたって実質的に横方向に延びてもよく、第１の方向１２２に沿って延びてもよい、第２の規則的パターン１２０ｂを含む。
【００５６】
第２の規則的パターン１２０ｂは、規則的パターン１２０について本明細書の他の箇所で更に説明する属性のうちのいずれを有してもよい。例えば、第２の規則的パターン１２０ｂは、実質的に同心状の複数のループのうちの隣接する少なくとも複数のループにわたって延びる、実質的に平行な溝の規則的パターンであってもよい。
【００５７】
いくつかの実施形態では、実質的に同心状のループは、例えば、多層フィルムのループを指す。各ループ１１０は、隣接する層１０及び１７のループを含んでもよく、縁面１１１は、組み合わされた隣接する層１０及び１７の縁面であってもよい。いくつかの実施形態では、実質的に同心状のループは、例えば、多層フィルム内の個々の層のループを指す。例えば、第１の層１０は、実質的に同心状のループに巻かれている。そのような場合、縁面１１１は、例えば、第１の層１０の縁面（例えば、縁面１３）であってもよい。
【００５８】
いくつかの実施形態では、各ループ１１０は、軟磁性層及び／又は磁気絶縁層である少なくとも１つの層（例えば、層２０）と、金属層などの導電層である少なくとも１つの層（例えば、層１０及び／又は１７）とを含む。いくつかの実施形態では、任意選択的な少なくとも１つの第３の層１７は省略される。いくつかの実施形態では、各ループは、複数の導電性又は金属性の層（例えば、層１０及び１７）を含む。いくつかの実施形態では、各ループは、２つ以上の軟磁性及び／又は磁気絶縁性の層を含む。
【００５９】
いくつかの実施形態では、コイル３００は、実質的に同心状の複数のループ１１０を含み、各ループは、少なくとも１つの軟磁性層２０と実質的に同心状である実質的に同心状の複数の金属層（１０及び１７）を含み、平面図（例えば、図３Ａ又は図３Ｂの上平面図及び／又は図３Ｃの下平面図）において、コイル３００が、実質的に同心状の複数のループ１１０のうちの隣接する少なくとも複数のループにわたって延びる、実質的に平行な溝１２１の規則的パターン１２０を含むようになっている。いくつかの実施形態では、上平面図において、コイルは規則的パターン１２０（第１の規則的パターン）を含み、下平面図において、コイルは規則的パターン１２０ｂ（第２の規則的パターン）を含む。いくつかの実施形態では、第１及び第２の規則的パターンはそれぞれ、実質的に平行な溝のパターンを含む。いくつかの実施形態では、第１及び第２の規則的パターンは、実質的に同じ第１の方向１２２に延びる。
【００６０】
いくつかの実施形態では、各ループの少なくとも１つの軟磁性層は、ループの実質的に同心状の複数の金属層と、隣接するループの実質的に同心状の複数の金属層との間に配置される。いくつかの実施形態では、第１の接着剤層３０が、実質的に同心状の複数の金属層のうちの隣接する金属層の間に配置され、隣接する金属層を接合し、第２の接着剤層４２が、隣接するループの間に配置され、隣接するループを接合する。いくつかの実施形態では、第２の接着剤層４２は、第１の接着剤層３０よりも厚い。
【００６１】
いくつかの実施形態では、各ループ内の実質的に同心状の複数の金属層は、互いに電気的に接続される。例えば、コイルが、例えばはんだ付けにより、電気ケーブルに接続されるときに、各ループ内の金属層は、ループの一方若しくは両方の端部で一緒に溶接されてもよく、又はループの一方若しくは両方の端部で互いに電気的に接続されてもよい。溶接部１５が、図３Ｂに概略的に示されている。層１０及び１７の反対側の端部も、層間に電気的接続をもたらすために、任意選択的に溶接又ははんだ付けされてもよい。
【００６２】
いくつかの実施形態では、アンテナ又はコイル３００は、実質的に同心状の複数のループ１１０を含み、各ループは金属層（例えば、層１０）を含む。各ループは、少なくとも１つの軟磁性層を更に含んでもよく、かつ／又は、本明細書の他の箇所で更に説明するように、複数の交互する金属層及び第１の接着剤層を含んでもよい。いくつかの実施形態では、平面図（例えば、図３Ａの上平面図）において、コイル３００は、実質的にコイル３００の全体にわたって（例えば、コイルの面積の少なくとも８０％、少なくとも９０％、又は少なくとも９５％にわたって）、同じ第１の方向１２２に実質的に沿って延びる（例えば、第１の方向１２２の２０度以内、１０度以内、又は５度以内で第１の方向１２２に沿って延びる）、規則的パターン１２０を含む。様々な領域における平均ピッチの観点、及び／又は様々な領域における規則的パターンのフーリエ変換の観点から、規則的パターン１２０を説明することができる。いくつかの実施形態では、規則的パターンは、コイルの第１の領域１２５における第１の平均ピッチＰ１と、コイルの異なる第２の領域１３０における異なる第２の平均ピッチＰ２とを有する。いくつかの実施形態では、第１の平均ピッチと第２の平均ピッチとの間の差が、約１０マイクロメートル超、約１５マイクロメートル超、約２０マイクロメートル超、約３０マイクロメートル超、約４０マイクロメートル超、又は約５０マイクロメートル超である。例えば、第１の平均ピッチＰ１は、約６０マイクロメートル〜約１００マイクロメートルの範囲内であってもよく、第２の平均ピッチＰ２は、約１２０マイクロメートル〜約２００マイクロメートルの範囲内であってもよい。いくつかの実施形態では、第１及び第２の平均ピッチの一方又は両方は、５マイクロメートル、１０マイクロメートル、２０マイクロメートル、又は４０マイクロメートル〜２０００マイクロメートル、１０００マイクロメートル、５００マイクロメートル、又は２５０マイクロメートルの範囲内である。
【００６３】
いくつかの実施形態では、規則的パターンのフーリエ変換が、コイルの第１の領域１２５における第１の空間周波数（例えば、図１４に示すＦ１を参照）でのピークと、コイルの異なる第２の領域１３０における異なる第２の空間周波数（例えば、図２１に示すＦ２を参照）でのピークとを有する。フーリエ変換のピークは、規則的パターンの平均ピッチに対応してもよい（例えば、Ｆ１は約１／Ｐ１であってもよく、Ｆ２は約１／Ｐ２であってもよい）。いくつかの実施形態では、第１及び第２の空間周波数の一方又は両方は、１／（２０００マイクロメートル）、１／（１０００マイクロメートル）、１／（５００マイクロメートル）、又は１／（２５０マイクロメートル）〜１／（５マイクロメートル）、１／（１０マイクロメートル）、１／（２０マイクロメートル）、又は１／（４０マイクロメートル）の範囲内である。いくつかの実施形態では、第１の空間周波数と第２の空間周波数との間の差が、約０．００１毎マイクロメートル超、約０．００２毎マイクロメートル超、約０．００４毎マイクロメートル超、約０．０１毎マイクロメートル超、約０．０２毎マイクロメートル超、約０．０５毎マイクロメートル超、又は約０．１毎マイクロメートル超である。
【００６４】
第３の領域１３１及び第４の領域１３９もまた、図３Ｂに示されている。ピッチ及びフーリエ変換は、本明細書の他の箇所で更に説明するように、これらの領域のそれぞれで評価することができる。
【００６５】
いくつかの実施形態では、本説明のコイル又はアンテナ（例えば、１００、２００、又は３００）を、実質的に同心状の複数のループ（例えば、ループ１１０）を形成するように巻かれた多層フィルムを含むものとして説明することができる。
【００６６】
図４は、第１の層１０及び第２の層２０を含む多層フィルム４０２の実施形態の概略端面図である。第１の層１０は導電性磁気絶縁層であってもよく、第２の層２０は導磁性層及び／又は軟磁性層であってもよい。いくつかの実施形態では、第１の層１０及び第２の層２０は、接着剤４０によって互いに接合される。いくつかの実施形態では、多層フィルムが、一方のフィルムの接着剤４２が他方のフィルムの第１の層１０に接続された、２つの多層フィルム４０２を含む。そのような実施形態では、多層フィルムは、２つの第１の層１０及び２つの第２の層２０を含む。いくつかの実施形態では、アンテナ又はコイルが、複数のループに巻かれた多層フィルム４０２を含む。いくつかの実施形態では、接着剤４２は、隣接するループを互いに接合する。
【００６７】
いくつかの実施形態では、多層フィルム４０２は、導電性磁気絶縁性の第１の層１０と、第１の層１０に配置及び接合された導磁性の第２の層２０とを含み、第１の層１０及び第２の層２０の対応する縁面は、実質的に同一平面上にある（例えば、共通平面からのずれが多層フィルムの厚さの０．３倍未満、０．２倍未満、０．１倍未満、又は０．０５倍未満以内の同一平面上にある）。図示した実施形態では、第１の層１０の縁面１３及び第２の層２０の縁面２１は、平面Ｓ１の対応する縁面であり、第１の層１０の縁面１４及び第２の層２０の縁面２４は、平面Ｓ２の対応する縁面である。
【００６８】
いくつかの実施形態では、多層フィルムが、追加の第１の層１０及び／又は追加の第２の層２０を含む。図５Ａは、第１の層２０と、複数の交互する第２の層１０及び第３の層３０とを含む多層フィルム５０２の概略端面図である。図５Ｂは、多層フィルム５０２の概略側面図である。いくつかの実施形態では、多層フィルム５０２は、導磁性の第１の層２０と、第１の層２０に配置及び接合された複数の交互する第２の層１０及び第３の層３０とを含み、第２の層１０は導電性かつ磁気絶縁性であり、第３の層３０は電気絶縁性かつ磁気絶縁性である。いくつかの実施形態では、第１の層２０、第２の層１０、及び第３の層３０の幅（Ｗ１、Ｗ、Ｗ２）及び長さ（Ｌ１、Ｌ、Ｌ２）が、第２の層１０の長手方向縁面（１３、１４）が第３の層３０又は第１の層２０のいずれによっても覆われないように、実質的に互いに同一の広がりを有する。いくつかの実施形態では、第１の層２０の幅の厚さに対する比が、少なくとも０．１、少なくとも１、又は少なくとも５である。
【００６９】
いくつかの実施形態では、コイルが、実質的に同心状の複数のループ（例えば、ループ１１０）を形成するように巻かれた多層フィルム（例えば、２０２、４０２、又は５０２）を含む。いくつかの実施形態では、多層フィルムは、複数の交互する導電層１０及び第１の接着剤層３０を含み、多層フィルムの最も外側の主面４４を含む第２の接着剤層４２を含む。第２の接着剤層４２は、任意選択的に、図４〜図５Ｂに示すものとは反対側の最も外側の主面に配置することができる。いくつかの実施形態では、本明細書の他の箇所で更に説明するように、コイルを製造する方法が、ロッドに多層フィルムを巻き付けて、ロッドと、ロッドと実質的に同心状の多層フィルムの複数のループとを含むアセンブリであって、各ループが第２の接着剤層４２によって隣接するループに接合される、アセンブリを形成することを含む。
【００７０】
フィルムが、第３の寸法よりもはるかに大きな２つの寸法を有してもよい。フィルムストリップを、ストリップが他の２つの寸法よりもはるかに大きな１つの寸法を有するように、フィルムから切り出すことができる。本説明のコイル又はアンテナに使用される多層フィルムが、フィルムストリップ又はフィルムストリップの一部分であってもよい。
【００７１】
図６は、コイル６００と、ロッド又はロッドセクション６３７とを含むアセンブリ６０１の上面図である。コイル６００は、実質的に同心状の複数のループ１１０を含む。図７Ａは、１５０倍率のＺ２０レンズを取り付けたＫｅｙｅｎｃｅ  ＶＨＸ−５０００デジタル顕微鏡を使用して得られた、コイル６００に対応するコイルの一部分のレーザー強度画像である。図７Ｂは、コイル６００に対応し得るコイルの一部分の概略上平面図である。図７Ｂのコイルは、曲率が図７Ｂの概略図に示されないような、図示した部分のサイズと比べて大き曲率を有するとみなされる。
【００７２】
いくつかの実施形態では、コイルは、実質的に同心状の複数のループを含み、各ループは多層フィルムのループである（例えば、図７Ｂに示すループ１１０は、複数の層１０及び３０を含む）。いくつかの実施形態では、コイルは、実質的に同心状の複数のループを含み、各ループは、第１の層のループである（例えば、図７Ａ又は図７Ｂに示すループ１０ａ及び１０ｂは、単一層１０の各ループである）。いくつかの実施形態では、コイル６００が、実質的に同心状の複数のループ１１０を含み、各ループは、実質的に同心状の複数の交互する金属層１０及び第１の接着剤層３０を含む（例えば、図７Ａ又は図７Ｂに示す各ループ１１０ａ及び１１０ｂはそれぞれ、交互する層１０及び３０を含む）。いくつかの実施形態では、各金属層は、非鉄金属を含み、かつ／又は磁気絶縁性であり、かつ／又は実質的に非磁性である。
【００７３】
第２の接着剤層４１が、隣接するループ１１０の間に配置され、隣接するループを接合する。いくつかの実施形態では、第２の接着剤層４１は、第１の接着剤層３０よりも厚い。いくつかの実施形態では、第２の接着剤層４１は、少なくとも２倍又は少なくとも４倍、第１の接着剤層よりも厚い。いくつかの実施形態では、第２の接着剤層４１は、バインダ中に分散した導磁性フィラーを含む。
【００７４】
いくつかの実施形態では、第２の接着剤層４１は、複合部分２０の互いに反対側にある主面に、互いに反対側にある第１の接着剤部分４０及び第２の接着剤部分４２を含む。複合部分２０は、導磁性フィラーの粒子であり得る、バインダ（例えば、エポキシ）中に分散した粒子４３を含む。いくつかの実施形態では、接着剤部分４０及び４２並びに複合部分２０はそれぞれ、共通の種類の接着剤材料を含む。例えば、いくつかの実施形態では、接着剤部分４０及び４２並びに複合部分２０はそれぞれ、エポキシを含む。いくつかの実施形態では、複合部分２０は、例えば、複合部分２０の比透磁率を高めるために、複合部分２０の全体に分散した導磁性フィラーの粒子を含む。粒子４３は、例えば、鉄−ケイ素−ホウ素−ニオブ−銅合金を含み得る、好適な任意の形状（例えば、薄片、板、球、楕円、不規則形状の粒子のうちの少なくとも１つ）を有し得る、金属粒子であってもよい。
【００７５】
いくつかの実施形態では、アンテナ又はコイルが、実質的に同心状の複数のループ１１０を含み、各ループは、実質的に同心状の複数の交互する金属層１０及び第１の接着剤層３０を含み、第２の接着剤層４１は、隣接するループの間に配置され、隣接するループを接合する。いくつかの実施形態では、第２の接着剤層は、第１の接着剤層よりも（例えば、少なくとも２倍又は４倍）厚い。いくつかの実施形態では、第１の接着剤部分４０及び第２の接着剤部分４２はそれぞれ、各第１の接着剤層３０よりも厚い。いくつかの実施形態では、複合部分２０は、第１の接着剤部分４０及び第２の接着剤部分４２のそれぞれよりも厚い。いくつかの実施形態では、第１の接着剤部分４０及び第２の接着剤部分４２は、実質的に同じ（例えば、２０％以内、１０％以内、又は５％以内までの）厚さを有する。
【００７６】
いくつかの実施形態では、アンテナ又はコイルは、実質的に同心状の複数のループを形成するように巻かれた多層フィルムを含み、多層フィルムは、導磁性の第１の層２０と、複数の交互する第２の層１０及び第３の層３０とを含む。第１の層２０は、複数の交互する第２の層１０及び第３の層３０に接着剤層４０によって接合される。隣接するループが、接着剤層４２によって一緒に接合される。いくつかの実施形態では、接着剤層４２は、各層３０よりも厚い。いくつかの実施形態では、接着剤層４２は、各層３０よりも少なくとも１．５倍又は少なくとも２倍、厚い。
【００７７】
図８Ａ及び図８Ｂはそれぞれ、Ｋｅｙｅｎｃｅ  ＶＫ−Ｘ２００共焦点顕微鏡を２０倍率対物レンズと共に使用して、（例えば、図８に示すｘ−ｙ−ｚ座標系を基準とするｘ−ｙ平面の）上平面図において得られた、アンテナ８００の第１の領域（例えば、図３Ｂに示す第１の領域１２５に対応する）におけるコイル又はアンテナ８００のレーザー強度画像及びトポグラフィマップである。いくつかの実施形態では、アンテナ８００は、情報又はエネルギーを伝達するためのものであり、実質的に同心状の複数のループ１１０を含み、各ループは金属層１０を含む。いくつかの実施形態では、各ループ１１０は、複数の金属層１０（例えば、図示した実施形態では、４つの金属層１０）を含む。コイル又はアンテナ８００は、１０マイクロメートル厚のエポキシ接着剤層３０によって一緒に接合された４つの銅層と、約６０マイクロメートルの厚さを有し、２０マイクロメートル厚のエポキシ接着剤層（例えば、図７Ｂに示す層４０に対応する）によって銅層に接合され、多層フィルムの隣接するループを一緒に接合するための２０マイクロメートル厚のエポキシ接着剤層（例えば、図７Ｂに示す層４２に対応する）を有する、複合層（例えば、図７Ｂに示す層２０に対応する）を含む接着剤層４１とを含む多層フィルムから製造された。銅層の厚さは、約１０５マイクロメートルであった。複合層は、エポキシ中に分散した磁性金属（センダスト）の薄片を含んでいた。コイル又はアンテナ８００は、本明細書の他の箇所で更に説明するように、ロッドに多層フィルムを巻き付けて、実質的に同心状の複数のループを形成し、得られたアセンブリからコイル又はアンテナ８００をダイヤモンドワイヤソーを使用してスライスすることにより製造された。
【００７８】
図９は、Ｋｅｙｅｎｃｅ  ＶＫ−Ｘ２００共焦点顕微鏡を使用して得られた、第１の領域の一部分のトポグラフィマップである。図１０は、ｘ方向に沿ったトポグラフィ（基準平面に対する表面高さ）のプロットであり、図１１は、第１の領域におけるｙ方向に沿ったトポグラフィ（高さ）のプロットである。Ｋｅｙｅｎｃｅ  ＶＫ−Ｘ２００共焦点顕微鏡を使用して得られた形態（topological）マップから、図１０及び図１１のプロットを抽出した。ｘ方向及びｙ方向の両方に光学パターンが存在することを図８Ａ〜図９に見ることができる。図１０では、複数の金属層にわたってｙ方向に沿ってトポグラフィ的なパターンが実質的に存在しないことが分かる。図１１では、複数の金属層にわたってｙ方向に沿って実質的なトポグラフィ的なパターンが存在することが分かる。第１の領域における形態パターンは、ｙ方向で約８９マイクロメートルの平均ピッチＰ１（対応するフーリエ変換ピーク周波数の逆数として平均ピッチを近似することによって決定された）を有していた。いくつかの実施形態では、（例えば、ｘ−ｙ平面内の）平面図及びアンテナ又はコイルの少なくとも１つの第１の領域１２５において、アンテナ又はコイルは、第１の方向（ｙ方向）に沿った光学的かつトポグラフィ的である規則的パターン１２０と、直交する第２の方向（ｘ方向）に沿った光学的であるがトポグラフィ的でない規則的パターンとを含む。いくつかの実施形態では、上平面図及びアンテナ又はコイルの少なくとも１つの第１の領域１２５において、アンテナ又はコイルは、第１の方向（ｙ方向）に沿った光学的かつトポグラフィ的な第１の規則的パターン１２０と、直交する第２の方向（ｘ方向）に沿った光学的であるがトポグラフィ的でない第１の規則的パターンとを含み、下平面図及びアンテナ又はコイルの少なくとも１つの第１の領域１２５において、アンテナ又はコイルは、第１の方向に沿った光学的かつトポグラフィ的である第２の規則的パターン１２０ｂ（図３Ｃに概略的に示す）と、直交する第２の方向に沿った光学的であるがトポグラフィ的でない第２の規則的パターンとを含む。
【００７９】
いくつかの実施形態では、光学的かつトポグラフィ的である規則的パターン１２０及び／又は１２０ｂは、第２の方向に沿って延び、第１の方向に沿って間隔を空けた、実質的に平行な溝の規則的パターンを含む。いくつかの実施形態では、実質的に平行な溝の規則的パターンは、実質的にアンテナ又はコイルの全体にわたって延び、実質的に平行な溝の規則的パターンは、アンテナ又はコイルの第１の領域における第１の平均ピッチを有し、アンテナ又はコイルの異なる第２の領域における異なる第２の平均ピッチを有する。いくつかの実施形態では、実質的に平行な溝の規則的パターンは、実質的にアンテナの全体にわたって延び、実質的に平行な溝の規則的パターンのフーリエ変換が、アンテナの第１の領域における第１の空間周波数でのピークと、アンテナの異なる第２の領域における異なる第２の空間周波数でのピークとを有する。
【００８０】
図１２は、第１の領域における表面トポグラフィの２次元フーリエ変換の大きさのプロットである。図１３は、ｘ方向に沿ったフーリエ変換の大きさのプロットであり、図１４は、第１の領域におけるｙ方向に沿ったフーリエ変換の大きさのプロットである。ｙ方向に沿ったフーリエ変換は、空間周波数Ｆ１でのピークＫ１を有する。ピークＫ１は、図１１に示す周期的パターンを示す。ピークＫ１は、隣接する任意のピークから実質的に間隔を空けている。図１３に示すｘ方向に沿ったフーリエ変換は、隣接する任意のピークから実質的に間隔を空けた非ゼロ空間周波数でのピークを有していない。このことは、ｘ方向に沿った形態パターンの欠如を示す。
【００８１】
図１５Ａ及び図１５Ｂはそれぞれ、Ｋｅｙｅｎｃｅ  ＶＫ−Ｘ２００共焦点顕微鏡を使用して上平面図において得られた、コイル又はアンテナ８００の第２の領域（例えば、図３Ｂに示す第２の領域１３０に対応する）におけるコイル又はアンテナ８００のレーザー強度画像及びトポグラフィマップである。図１６は、第２の領域の一部分のトポグラフィマップである。図１７は、ｘ方向に沿った高さのプロットであり、図１８は、第２の領域におけるｙ方向に沿った高さのプロットである。第２の領域における形態パターンは、ｙ方向で約１５２マイクロメートルの平均ピッチＰ２を有していた。
【００８２】
図１９は、第２の領域における表面トポグラフィのフーリエ変換の大きさのプロットである。図２０は、ｘ方向に沿ったフーリエ変換の大きさのプロットであり、図２１は、第２の領域におけるｙ方向に沿ったフーリエ変換の大きさのプロットである。ｙ方向に沿ったフーリエ変換は、空間周波数Ｆ２でのピークＫ２を有する。ピークＫ２は、図１８に示す周期的パターンを示す。ピークＫ２は、同様の大きさを有する隣接する任意のピークから実質的に間隔を空けている。図２０に示すｘ方向に沿ったフーリエ変換は、そのような任意のピークを有しておらず、このことは、ｘ方向に沿った形態パターンの実質的な不在を示す。
【００８３】
図２２Ａ及び図２２Ｂはそれぞれ、Ｋｅｙｅｎｃｅ  ＶＫ−Ｘ２００共焦点顕微鏡を使用して上平面図において得られた、コイル又はアンテナ８００の第３の領域（例えば、図３Ｂに示す第３の領域１３１に対応する）におけるコイル又はアンテナ８００のレーザー強度画像及びトポグラフィマップである。図２３は、ｙ方向に沿った高さのプロットである。ｙ方向で約９７．１マイクロメートルの平均ピッチを有する周期構造を見ることができる。図２４は、第３の領域における表面トポグラフィのフーリエ変換の大きさのプロットである。図２５は、ｘ方向に沿ったフーリエ変換の大きさのプロットであり、図２６は、第３の領域におけるｙ方向に沿ったフーリエ変換の大きさのプロットである。図２６の周波数０でのピークの近くの大きなピークの対は、ｙ方向に沿った周期構造を示す。
【００８４】
図２７Ａ及び図２７Ｂはそれぞれ、Ｋｅｙｅｎｃｅ  ＶＫ−Ｘ２００共焦点顕微鏡を使用して上平面図において得られた、コイル又はアンテナ８００の第４の領域（例えば、図３Ｂに示す第３の領域１３９に対応する）におけるコイル又はアンテナ８００のレーザー強度画像及びトポグラフィマップである。図２８は、ｙ方向に沿った高さのプロットである。ｙ方向で約１３９マイクロメートルの平均ピッチを有する周期構造を見ることができる。図２９は、第４の領域における表面トポグラフィのフーリエ変換の大きさのプロットである。図３０は、ｘ方向に沿ったフーリエ変換のプロットであり、図３１は、第４の領域におけるｙ方向に沿ったフーリエ変換の大きさのプロットである。図３１の周波数０でのピークの近くの大きなピークの対は、ｙ方向に沿った周期構造を示す。
【００８５】
図３２は、丸みを帯びた矩形の形状を有するコイル３３００の上平面図である。コイルの第１の領域１２５及び第２の領域１３０が示されている。図３２に示す形状寸法を有し、銅線ベースの巻コイルの代表例である、Ｗｏｒｔｈ  Ｅｌｅｃｔｒｏｎｉｃｓから部品番号７６０３０８１０３２０２として入手可能な比較コイル３３００を分析した。
【００８６】
図３３Ａ及び図３３Ｂはそれぞれ、Ｋｅｙｅｎｃｅ  ＶＫ−Ｘ２００共焦点顕微鏡を使用して上平面図において得られた、比較コイル３３００の第１の領域１２５におけるコイル３３００のレーザー強度画像及びトポグラフィマップである。図３４は、第１の領域１２５の一部分のトポグラフィマップである。図３５Ａ及び図３５Ｂはそれぞれ、より小さな及びより大きなｘ座標長スケールでのｘ方向に沿った高さのプロットであり、図３６は、第１の領域１２５におけるｙ方向に沿った高さのプロットである。ｘ方向で約３３６マイクロメートルの平均ピッチを有する周期構造を見ることができる。図３７は、第１の領域における表面トポグラフィのフーリエ変換の大きさのプロットである。図３８は、ｘ方向に沿ったフーリエ変換の大きさのプロットであり、図３９は、第１の領域１２５におけるｙ方向に沿ったフーリエ変換の大きさのプロットである。
【００８７】
図４０Ａ及び図４０Ｂはそれぞれ、Ｋｅｙｅｎｃｅ  ＶＫ−Ｘ２００共焦点顕微鏡を使用して上平面図において得られた、比較コイル３３００の第２の領域１３０におけるコイル３３００のレーザー強度画像及びトポグラフィマップである。図４１は、第２の領域１３０の一部分のトポグラフィマップである。図４２は、ｘ方向に沿った高さのプロットである。図４３Ａ及び図４３Ｂはそれぞれ、より小さな及びより大きなｙ座標長スケールでの、第２の領域１３０におけるｙ方向に沿った高さのプロットである。ｙ方向で約３３４マイクロメートルの平均ピッチを有する周期構造を見ることができる。図４４は、第２の領域における表面トポグラフィのフーリエ変換の大きさのプロットである。図４５は、ｘ方向に沿ったフーリエ変換のプロットであり、図４６は、Ｋｅｙｅｎｃｅ  ＶＫ−Ｘ２００共焦点顕微鏡を使用して得られた、第２の領域１３０におけるｙ方向に沿ったフーリエ変換のプロットである。
【００８８】
図３３Ａ及び図４６は、比較コイル３３００の形態パターンが、第１の領域１２５におけるｘ方向の周期性及び第２の領域１３０におけるｙ方向の周期性を有していたことを示す。それぞれの場合において、形態パターンは、第１及び第２の領域において半径方向の周期性を有し、２つの領域において同じ方向に延びていなかった。
【００８９】
図４７は、実質的に円形の形状を有するコイル４７００の上平面図である。図４７に示す形状を有し、フレキシブルプリント回路コイルの代表例である、Ｓａｍｓｕｎｇ  Ｅｌｅｃｔｒｏｎｉｃｓ  Ｃｏ．Ｌｔｄ．（韓国）から入手可能な比較コイル４７００を分析した。
【００９０】
図４８Ａ及び図４８Ｂはそれぞれ、Ｋｅｙｅｎｃｅ  ＶＫ−Ｘ２００共焦点顕微鏡を使用して上平面図において得られた、比較コイル４７００の第１の領域１２５におけるコイル４７００のレーザー強度画像及びトポグラフィマップである。図４８Ｃは、第１の領域１２５の一部分のトポグラフィマップである。図４９Ａ及び図４９Ｂはそれぞれ、より小さな及びより大きなｘ座標長スケールでの、ｘ方向に沿った高さのプロットであり、図５０は、第１の領域１２５におけるｙ方向に沿った高さのプロットである。ｘ方向で約９４１マイクロメートルの平均ピッチを有する周期構造を見ることができる。図５１は、第１の領域１２５における表面トポグラフィのフーリエ変換の大きさのプロットである。図５２は、ｘ方向に沿ったフーリエ変換の大きさのプロットであり、図５３は、第１の領域１２５におけるｙ方向に沿ったフーリエ変換のプロットである。
【００９１】
図５４Ａ及び図５４Ｂはそれぞれ、Ｋｅｙｅｎｃｅ  ＶＫ−Ｘ２００共焦点顕微鏡を使用して上平面図において得られた、比較コイル４７００の第２の領域１３０におけるコイル３３００のレーザー強度画像及びトポグラフィマップである。図５５は、第２の領域１３０の一部分のトポグラフィマップである。図５６は、ｘ方向に沿った高さのプロットである。図５７Ａ及び図５７Ｂはそれぞれ、より小さな及びより大きなｙ座標長スケールでの、第２の領域１３０におけるｙ方向に沿った高さのプロットである。ｘ方向で約９２９マイクロメートルの平均ピッチを有する周期構造を見ることができる。図５８は、第２の領域１３０における表面トポグラフィのフーリエ変換の大きさのプロットである。図５９は、ｘ方向に沿ったフーリエ変換のプロットであり、図６０は、第２の領域１３０におけるｙ方向に沿ったフーリエ変換のプロットである。
【００９２】
図４８Ａ〜図６０は、比較コイル４７００の形態パターンが、第１の領域１２５におけるｘ方向の周期性及び第２の領域１３０におけるｙ方向の周期性を有していたことを示す。それぞれの場合において、形態パターンは、第１及び第２の領域において半径方向の周期性を有し、２つの領域において同じ方向に延びていなかった。
【００９３】
いくつかの実施形態では、コイル又はアンテナを製造する方法が、ロッドを供給することと、フィルム（例えば、少なくとも１つの導電層を含む多層フィルム、又は本明細書の他の箇所で説明する多層フィルムのうちのいずれか）を供給することと、ロッドにフィルムを巻き付けてアセンブリ（例えば、ロッドと実質的に同心状のフィルムの、連続した複数の巻き又は実質的に同心状のループを含む）を形成することと、アセンブリを実質的に横方向に切断してコイル又はアンテナを形成することと、を含む。例えば、アセンブリのセグメントをアセンブリから切断してもよく、このセグメントは、任意選択的に取り外せるロッドのセグメントに巻き付けられたコイル又はアンテナを含む。切断する工程は、コイル又はアンテナの互いに反対の側の一方又は両方に、（例えば、間隔を空けた平行なダイヤモンドワイヤによってアセンブリをスライスすることにより、）本明細書の他の箇所で説明する規則的パターンのうちのいずれかを作り出すことができる。
【００９４】
ロッドは、軸線に沿って延びてもよく、軸線と直交する好適な任意の形状（例えば、円形、楕円形、又は（例えば、コイル３３００の内部領域の丸みを帯びた矩形の形状に対応する）丸みを帯びた矩形）の断面を有してもよい。ロッドは、好適な任意の材料で構成することができる。好適な材料としては、硬質ポリマー、架橋ポリマー、及びエポキシのうちの少なくとも１つが挙げられ得る。例えば、ロッドはエポキシを含んでもよい（例えば、ロッドはエポキシロッドであってもよい）。
【００９５】
図６１〜図６４は、本説明のコイル又はアンテナを製造するための方法を概略的に示す。
【００９６】
ロッド４１０と、多層フィルムであり得る、かつ／又は少なくとも１つの導電層を有するフィルムであり得る、フィルム４２０とが供給される。いくつかの実施形態では、ロッド４１０は、フィルム４２０の端部４３４を受け入れるためのスリット４３８を含む。いくつかの実施形態では、フィルム４２０の端部４３４は、図６１に概略的に示すようにスリット４３８内に配置され、フィルム４２０は、図６２に概略的に示すように、ロッド４１０に複数回巻き付けられて、図６３に概略的に示すアセンブリ４０１を形成する。フィルム４２０は、例えば、ロッド４１０を回転させることにより、ロッド４１０に巻き付けることができる。ロッド４１０を回転させながら、縁部４３６に沿って張力をもたらすことができる。フィルム４２０は、例えば、本明細書で説明する多層フィルム（例えば、多層フィルム２０２、又は４０２、又は５０２）のうちのいずれかに対応し得る。いくつかの実施形態では、フィルム４２０は、複数の交互する金属層１０及び第１の接着剤層３０と、例えば、複数の交互する金属層１０及び第１の接着剤層３０に配置及び接合された導磁性の第２の層２０とを含む。フィルム４２０は、いずれの向きでもロッド４１０に巻き付けることができる。例えば、フィルム４２０が、フィルム４２０の一方の最も外側の主面に、他方の最も外側の主面よりも近い導磁性又は軟磁性層２０を含む実施形態では、フィルム４２０は、層２０をロッド４１０の方に向けて又はロッドから離れる方向に向けて巻くことができる。
【００９７】
いくつかの実施形態では、フィルム４２０は多層フィルムである。いくつかの実施形態では、アセンブリ４０１は、ロッド４１０と、ロッド４１０と実質的に同心状に連続して複数回巻かれた多層フィルム４２０とを含む。いくつかの実施形態では、ロッド４１０の長さＬ３は、多層フィルム４２０の横方向幅Ｗ３よりも大きい。いくつかの実施形態では、ロッド４１０は、多層フィルム４２０の少なくとも一方の横方向縁部４２１を越えて延びる。
【００９８】
いくつかの実施形態では、方法は、アセンブリ４０１を所望のコイル幅を有するセクションに切断することを更に含む。図６４は、（例えば、ロッドの軸線と４５度未満、３０度未満、２０度未満、１０度未満、又は５度未満の角度をなす垂線を有する平面６４９６で）アセンブリを実質的に横方向に切断して、多層フィルム４２０の分離部分の実質的に同心状の複数のループを含むコイル又はアンテナを含むアセンブリの分離部分を形成することを概略的に示す。いくつかの実施形態では、分離部分は、実質的に一様な（例えば、幅の変化が平均幅の２０％未満、１０％未満、又は５％未満の）幅を有する。いくつかの実施形態では、アセンブリの分離部分は、フィルム４２０の層（例えば、第１の層１０、第２の層２０、及び第３の層３０）の幅に実質的に等しい（例えば、２０％以内、１０％以内、又は５％以内で）実質的に一様な幅を有する。
【００９９】
いくつかの実施形態では、コイルを製造する方法が、ロッド４１０を供給することと、多層フィルム４２０を供給することと、ロッドに多層フィルムを巻き付けて、ロッドと、ロッドと実質的に同心状の多層フィルムの複数のループとを含むアセンブリ４０１を形成することと、アセンブリを実質的に横方向に切断して、アセンブリの分離部分６４００を形成することであって、アセンブリの分離部分がコイルを含み、コイルが、多層フィルムの分離部分の実質的に同心状の複数のループであるか、又はそれを含む、形成することと、を含む。いくつかの実施形態では、ロッド４１０に多層フィルムを巻き付けることは、ロッドの軸線を中心にロッドを回転させることを含む。いくつかの実施形態では、アセンブリの分離部分は、互いに反対側にある主面と、それらの間の実質的に一様な（例えば、２０％未満、１０％未満、又は５％未満で変化する）幅（例えば、図１Ｂに示す幅Ｗ又はＷ１）とを有する。いくつかの実施形態では、切断する工程は、ダイヤモンドワイヤソーを使用して、アセンブリを実質的に横方向に切断又はスライスすることを含む。いくつかの実施形態では、アセンブリを実質的に横方向に切断することは、間隔を空けた複数の切断ワイヤを使用して、アセンブリの複数の分離部分を形成することであって、アセンブリの各分離部分が、複数のコイルのうちのコイルを含み、各コイルが、多層フィルムの分離部分の実質的に同心状の複数のループを含む、形成することと、を含む。
【０１００】
いくつかの実施形態では、フィルム４２０は、本明細書の他の箇所で説明するいずれかの多層フィルムに対応する多層フィルムである。例えば、いくつかの実施形態では、多層フィルム４２０は、導電性の第１の層１０と、第１の層に配置された導磁性の第２の層２０とを含む。いくつかの実施形態では、第１の層１０は磁気絶縁性である。いくつかの実施形態では、多層フィルムは、第１の層１０に配置された導電性の少なくとも１つの第３の層１７を更に含む。いくつかの実施形態では、少なくとも１つの第３の層１７は磁気絶縁性である。いくつかの実施形態では、第２の層２０の比透磁率が、第１の層１０の比透磁率の少なくとも１０倍又は少なくとも１００倍である。
【０１０１】
いくつかの実施形態では、多層フィルム４２０は、複数の交互する導電層１０及び第１の接着剤層３０を含み、多層フィルムの最も外側の主面４４を含む第２の接着剤層４１を含む。いくつかの実施形態では、第２の接着剤層４１は、第１の接着剤層３０よりも（例えば、少なくとも２倍又は４倍）厚い。いくつかの実施形態では、第２の接着剤層４１は、複合部分２０と、複合部分２０の互いに反対側にある主面に配置された互いに反対側にある第１の接着剤部分４０及び第２の接着剤部分４２とを含む。いくつかの実施形態では、複合部分は、バインダ中に分散した導磁性フィラー４３を含む。
【０１０２】
いくつかの実施形態では、フィルム４２０は、導電性の第１の層１０であるか、又はそれを含む。いくつかの実施形態では、フィルム４２０は、導電性の第１の層１０と、第１の層に配置及び接合された第２の層（例えば、２０、３０、４０、４１、又は４２）とを含む多層フィルムである。
【０１０３】
いくつかの実施形態では、多層フィルムを巻く前に、多層フィルムは、第２の層を第１の層に接合する、硬化していない部分的に硬化した第１の接着剤層（例えば、３０、４０、４１、又は４２）を含む。いくつかの実施形態では、多層フィルムを巻く前に、多層フィルムは、多層フィルムの最も外側の主面４４を含む、硬化していないか又は部分的に硬化した第２の接着剤層（例えば、４１又は４２）を含む。いくつかの実施形態では、多層フィルムを巻く工程は、複数のループのうちの隣接するループを第２の接着剤層によって接合することを含む。いくつかの実施形態では、方法は、第１及び第２の接着剤層を完全に硬化させることを含む。例えば、第１及び第２の接着剤層は、熱的に硬化し得る熱硬化性接着剤層（例えば、熱硬化性エポキシ）であってもよい。いくつかの実施形態では、完全に硬化させる工程は、巻く工程の後かつ切断する工程の前に実施される。いくつかの実施形態では、完全に硬化させる工程は、巻く工程及び切断する工程の後に実施される。
【０１０４】
いくつかの実施形態では、切断又はスライスする工程は、多層フィルムの分離部分の各ループ１１０の縁面１１１を作り出し、縁面は規則的パターン１２０を含む。いくつかの実施形態では、切断する工程は、多層フィルムの分離部分の各ループの互いに反対側にある縁面を作り出し、互いに反対側にある縁面はそれぞれ、規則的パターン（例えば、それぞれ１２０及び１２０ｂ）を含む。いくつかの実施形態では、コイルを製造する方法が、ロッド４１０と、ロッド４１０と実質的に同心状に連続して複数回巻かれたフィルム４２０とを含むアセンブリ４０１を供給することであって、フィルムが導電性の第１の層１０を含む、供給することと、少なくとも１つの切断ワイヤを使用してアセンブリを実質的に横方向にスライスして、アセンブリの分離部分を形成することであって、アセンブリの分離部分がコイルを含み、コイルが、フィルム４２０の分離部分の実質的に同心状の複数のループを含む、形成することと、を含み、スライスする工程が、第１の規則的パターン１２０を含む、フィルムの分離部分の各ループ１１０の第１の縁面１１１を作り出す。いくつかの実施形態では、第１の規則的パターン１２０は、実質的にコイルの全体にわたって、同じ第１の方向に実質的に沿って延びる。いくつかの実施形態では、スライスする工程は、対応する第１の規則的パターン１２０及び第２の規則的パターン１２０ｂを含む、フィルムの分離部分の各ループの互いに反対側にある第１の縁面１１１及び第２の縁面１１１ｂを作り出す。いくつかの実施形態では、第１の規則的パターン１２０及び第２の規則的パターン１２０ｂはそれぞれ、実質的にコイルの全体にわたって、同じ第１の方向に実質的に沿って延びる。
【０１０５】
規則的パターン１２０及び／又は１２０ｂは、本説明のコイル又はアンテナについて本明細書の他の箇所で説明する任意の規則的パターンとすることができる。例えば、いくつかの実施形態では、規則的パターンは、実質的にコイルの全体にわたって、同じ第１の方向に実質的に沿って延びる。いくつかの実施形態では、規則的パターンは、ループの長手方向と角度θをなす第１の方向に沿って延び、θは、ループの長手方向に沿って変化する。いくつかの実施形態では、多層フィルムの分離部分の隣接する少なくとも複数のループの縁面の規則的パターンは、実質的に互いに位置合わせされている。いくつかの実施形態では、規則的パターンは、多層フィルムの分離部分の隣接する少なくとも複数のループにわたって延びる、実質的に平行な溝のパターンを含む。いくつかの実施形態では、規則的パターンは、コイルの第１の領域における第１の平均ピッチと、コイルの異なる第２の領域における異なる第２の平均ピッチとを有する。いくつかの実施形態では、規則的パターンのフーリエ変換が、コイルの第１の領域における第１の空間周波数でのピークと、コイルの異なる第２の領域における異なる第２の空間周波数でのピークとを有する。いくつかの実施形態では、コイルの少なくとも１つの第１の領域において、コイルは、第１の方向に沿った光学的かつトポグラフィ的である規則的パターンと、直交する第２の方向に沿った光学的であるがトポグラフィ的でない規則的パターンとを含む。
【０１０６】
いくつかの実施形態では、方法が、アセンブリ４０１を供給する工程を含む。いくつかの実施形態では、アセンブリ４０１を供給する工程は、ロッド４１０を供給することと、フィルム４２０を供給することと、ロッド４１０にフィルム４２０を巻き付けてアセンブリ４０１を形成することと、を含む。方法は、フィルム４２０を巻く前にフィルム４２０の端部４３４をスリット４３８に挿入することを更に含むことができ、かつ／又は、アセンブリを加熱して、硬化していないか又は部分的に硬化した任意の接着剤層を硬化させることを更に含むことができる。
【０１０７】
いくつかの実施形態では、アセンブリ４０１を切断又はスライスするために、ワイヤソー６４９４が使用される。いくつかの実施形態では、ワイヤソー６４９４は、アセンブリ４０１の複数の分離部分（６４００ａ及び６４００ｂ）を形成するための間隔を空けた複数の切断ワイヤ６４９５を含む。いくつかの実施形態では、各分離部分は、複数のコイルのうちのコイルを含み、各コイルは、フィルム４２０（例えば、多層フィルム）の分離部分の実質的に同心状の複数のループを含む。いくつかの実施形態では、アセンブリの各分離部分は、実質的に一様な幅を有する。いくつかの実施形態では、アセンブリ４０１のフィルム４２０は、導電性の第１の層１０を含む。いくつかの実施形態では、アセンブリの各分離部分は、フィルムの対応する分離部分の実質的に同心状の複数のループを含む。
【０１０８】
いくつかの実施形態では、アセンブリをスライスするために使用される切断ワイヤは、ダイヤモンドワイヤである。ダイヤモンド切断ワイヤは、ダイヤモンドダストを含浸させたワイヤを含むことができ、例えば、セラミックスをスライスするために使用されている。図６５は、ダイヤモンド粒子６５９７を含むダイヤモンドワイヤ６５９５の概略図である。好適なダイヤモンドワイヤソーは、例えば、Ｃｒｙｓｔａｌ  Ｓｙｓｔｅｍｓ  Ｉｎｎｏｖａｔｉｏｎｓ（Ｓａｌｅｍ，ＭＡ）から入手可能である。
【０１０９】
本説明のコイル又はアンテナは、情報（例えば、デジタル若しくはアナログデータ）又は（例えば、無線再充電用の）エネルギーを伝達するために使用することができる。図６６は、コイル又はアンテナ６１００と、コイル又はアンテナ６１００に通電するための第１の電源６３１０とを含む送受信器３０３の概略側面図である。コイル又はアンテナ６１００は、本説明の任意のコイル又はアンテナとすることができる。
【０１１０】
フィーチャのサイズ、量、及び物理的性質を表す量に適用されるような「約」の使用が、本明細書に使用され記載されている文脈において、当業者にとって明らかではない場合、「約」は、指定された量の１０パーセント以内であるが、厳密に指定された量も含むことを意味すると理解することができる。例えば、本発明の記載に使用され記載されている文脈において、当業者にとって明らかではない場合、約１の値を有する量は、０．９〜１．１の値を有するが、ちょうど１の値も含むことを意味する。
【０１１１】
前述の参照文献、特許、又は特許出願はいずれも一貫した方法でそれらの全体を参照することにより本明細書に組み込まれる。組み込まれた参照文献の一部と本出願との間に不一致又は矛盾がある場合、前述の記載における情報が優先するものとする。
【０１１２】
図中の要素の説明は、別段の指示がない限り、他の図中の対応する要素に等しく適用されるものと理解されたい。具体的な実施形態を本明細書において例示し記述したが、様々な代替及び／又は同等の実施により、図示及び記載した具体的な実施形態を、本開示の範囲を逸脱することなく置き換え可能であることが、当業者には理解されるであろう。本出願は、本明細書において説明した具体的な実施形態のあらゆる適合例又は変形例を包含することを意図する。したがって、本開示は、特許請求の範囲及びその同等物によってのみ限定されるものとする。
【図１Ａ】
2021536688.tif 000003
【図１Ｂ】
2021536688.tif 000004
【図１Ｃ】
2021536688.tif 000005
【図１Ｄ】
2021536688.tif 000006
【図２】
2021536688.tif 000007
【図３Ａ】
2021536688.tif 000008
【図３Ｂ】
2021536688.tif 000009
【図３Ｃ】
2021536688.tif 000010
【図４】
2021536688.tif 000011
【図５Ａ】
2021536688.tif 000012
【図５Ｂ】
2021536688.tif 000013
【図６】
2021536688.tif 000014
【図７Ａ】
2021536688.tif 000015
【図７Ｂ】
2021536688.tif 000016
【図８Ａ】
2021536688.tif 000017
【図８Ｂ】
2021536688.tif 000018
【図９】
2021536688.tif 000019
【図１０】
2021536688.tif 000020
【図１１】
2021536688.tif 000021
【図１２】
2021536688.tif 000022
【図１３】
2021536688.tif 000023
【図１４】
2021536688.tif 000024
【図１５Ａ】
2021536688.tif 000025
【図１５Ｂ】
2021536688.tif 000026
【図１６】
2021536688.tif 000027
【図１７】
2021536688.tif 000028
【図１８】
2021536688.tif 000029
【図１９】
2021536688.tif 000030
【図２０】
2021536688.tif 000031
【図２１】
2021536688.tif 000032
【図２２Ａ】
2021536688.tif 000033
【図２２Ｂ】
2021536688.tif 000034
【図２３】
2021536688.tif 000035
【図２４】
2021536688.tif 000036
【図２５】
2021536688.tif 000037
【図２６】
2021536688.tif 000038
【図２７Ａ】
2021536688.tif 000039
【図２７Ｂ】
2021536688.tif 000040
【図２８】
2021536688.tif 000041
【図２９】
2021536688.tif 000042
【図３０】
2021536688.tif 000043
【図３１】
2021536688.tif 000044
【図３２】
2021536688.tif 000045
【図３３Ａ】
2021536688.tif 000046
【図３３Ｂ】
2021536688.tif 000047
【図３４】
2021536688.tif 000048
【図３５Ａ】
2021536688.tif 000049
【図３５Ｂ】
2021536688.tif 000050
【図３６】
2021536688.tif 000051
【図３７】
2021536688.tif 000052
【図３８】
2021536688.tif 000053
【図３９】
2021536688.tif 000054
【図４０Ａ】
2021536688.tif 000055
【図４０Ｂ】
2021536688.tif 000056
【図４１】
2021536688.tif 000057
【図４２】
2021536688.tif 000058
【図４３Ａ】
2021536688.tif 000059
【図４３Ｂ】
2021536688.tif 000060
【図４４】
2021536688.tif 000061
【図４５】
2021536688.tif 000062
【図４６】
2021536688.tif 000063
【図４７】
2021536688.tif 000064
【図４８Ａ】
2021536688.tif 000065
【図４８Ｂ】
2021536688.tif 000066
【図４８Ｃ】
2021536688.tif 000067
【図４９Ａ】
2021536688.tif 000068
【図４９Ｂ】
2021536688.tif 000069
【図５０】
2021536688.tif 000070
【図５１】
2021536688.tif 000071
【図５２】
2021536688.tif 000072
【図５３】
2021536688.tif 000073
【図５４Ａ】
2021536688.tif 000074
【図５４Ｂ】
2021536688.tif 000075
【図５５】
2021536688.tif 000076
【図５６】
2021536688.tif 000077
【図５７Ａ】
2021536688.tif 000078
【図５７Ｂ】
2021536688.tif 000079
【図５８】
2021536688.tif 000080
【図５９】
2021536688.tif 000081
【図６０】
2021536688.tif 000082
【図６１】
2021536688.tif 000083
【図６２】
2021536688.tif 000084
【図６３】
2021536688.tif 000085
【図６４】
2021536688.tif 000086
【図６５】
2021536688.tif 000087
【図６６】
2021536688.tif 000088
【国際調査報告】
2021536688.tif 000089